(57)【要約】【課題】複数のサブキャリア間隔を用いた無線マルチプルアクセスによって基地局装置と端末装置が通信を行う通信システムにおいて、サブキャリア間隔が異なることによる帯域外輻射や隣接チャネルに与える干渉等を柔軟に調整することが可能な基地局装置、端末装置及び通信方法を提供すること。【解決手段】基地局装置と通信する端末装置であって、ＯＦＤＭ信号のサブキャリア間隔に関する情報を前記基地局装置から受信する受信部と、前記サブキャリア間隔に関する情報に基づいて、ＯＦＤＭ信号を用いて上りリンクデータチャネルを前記基地局装置に送信する送信部と、を備え、前記送信部は、複数のサブキャリア間隔を用いて前記ＯＦＤＭ信号を生成し、前記送信部は、前記上りリンクデータチャネルをマッピングしたサブキャリアのサブキャリア間隔に基づいて、前記上りリンクデータチャネルの送信電力を設定する。【選択図】図６
2020036052.tif 000002
【特許請求の範囲】
【請求項１】
基地局装置と通信する端末装置であって、
ＯＦＤＭ信号のサブキャリア間隔に関する情報を前記基地局装置から受信する受信部と、
前記サブキャリア間隔に関する情報に基づいて、ＯＦＤＭ信号を用いて上りリンクデータチャネルを前記基地局装置に送信する送信部と、を備え、
前記送信部は、複数のサブキャリア間隔を用いて前記ＯＦＤＭ信号を生成し、
前記送信部は、前記上りリンクデータチャネルをマッピングしたサブキャリアのサブキャリア間隔に基づいて、前記上りリンクデータチャネルの送信電力を設定すること、
を特徴とする端末装置。
【請求項２】
前記上りリンクデータチャネルの送信電力は、少なくとも目標受信電力値と上りリンクデータチャネルがマッピングされるリソースブロックの数によって定まる第１の補正値に基づいて設定され、
前記リソースブロックは、複数のサブキャリアと複数のＯＦＤＭシンボルから一意に定まる無線リソースの領域であり、
前記目標受信電力値は、前記上りリンクデータチャネルがマッピングされるリソースブロックに含まれるサブキャリアのサブキャリア間隔に基づいて設定される、請求項１に記載の端末装置。
【請求項３】
前記上りリンクデータチャネルがマッピングされるリソースブロックに含まれるサブキャリアのサブキャリア間隔が、前記複数のサブキャリア間隔に含まれる第１のサブキャリア間隔に対してＮ倍の場合、前記目標受信電力値は、前記上りリンクデータチャネルが第１のサブキャリア間隔でサブキャリアが配置されたリソースブロックにマッピングされた場合の１／Ｎに設定される、請求項２に記載の端末装置。
【請求項４】
前記受信部は、下りリンク制御情報を前記基地局装置から受信し、
前記上りリンクデータチャネルの送信電力は、少なくとも目標受信電力値と上りリンクデータチャネルがマッピングされるリソースブロックの数によって定まる第１の補正値に基づいて設定され、
前記リソースブロックは、複数のサブキャリアと複数のＯＦＤＭシンボルから一意に定まる無線リソースの領域であり、
前記下りリンク制御情報は、前記上りリンクデータチャネルの送信電力制御コマンドを含み、
前記送信部は、サブキャリア間隔毎に、前記送信電力制御コマンドと前記上りリンクデータチャネルの送信電力に対する第２の補正値とを関連付けるテーブルを有する、請求項１に記載の端末装置。
【請求項５】
前記送信部は、前記上りリンクデータチャネルを複数の周波数バンドにおけるサブキャリアにマッピングし、
前記周波数バンド毎は、サブキャリア間隔が設定されており、
前記補正値２は、前記サブキャリア間隔に基づいて電力の増減幅が設定されている、請求項４に記載の端末装置。
【請求項６】
前記送信部は、上りリンクデータチャネルが割当てられるサブキャリア間隔が変更される場合、前記第２の補正値を初期値にする、請求項４に記載の端末装置
【請求項７】
前記送信部は、前記目標受信電力値の基準となるサブキャリア間隔に基づいて、前記第２の補正値を設定する、請求項４に記載の端末装置。
【請求項８】
前記送信部は、前記第１の補正値の基準となるサブキャリア間隔に基づいて、前記第２の補正値を設定する、請求項４に記載の端末装置。
【請求項９】
前記送信部は、前記上りリンクデータチャネルの送信電力が最大送信電力を超えない範囲で設定し、
前記複数のサブキャリア間隔に含まれる最小のサブキャリア間隔を用いて前記上りリンクデータチャネルを送信する場合、前記最大送信電力の下限値は、前記複数のサブキャリア間隔に含まれるその他のサブキャリア間隔により前記上りリンクデータチャネルを送信する場合に対して小さく設定される、請求項１に記載の端末装置。
【請求項１０】
前記送信部は、前記上りリンクデータチャネルを送信に用いるサブキャリア間隔を変更する場合、パワーヘッドルームレポートを前記基地局装置に送信する、請求項１に記載の端末装置。
【請求項１１】
基地局装置と通信する端末装置の通信方法であって、
ＯＦＤＭ信号のサブキャリア間隔に関する情報を前記基地局装置から受信する受信ステップと、
前記サブキャリア間隔に関する情報に基づいて、ＯＦＤＭ信号を用いて上りリンクデータチャネルを前記基地局装置に送信する送信ステップと、を有し、
前記送信ステップは、複数のサブキャリア間隔を用いて前記ＯＦＤＭ信号を生成し、
前記送信ステップは、前記上りリンクデータチャネルをマッピングしたサブキャリアのサブキャリア間隔に基づいて、前記上りリンクデータチャネルの送信電力を設定すること、
を特徴とする通信方法。
【発明の詳細な説明】
【技術分野】
【０００１】
本発明は、基地局装置、端末装置およびその通信方法に関する。
【背景技術】
【０００２】
３ＧＰＰ（The Third Generation Partnership Project）で仕様化されたＬＴＥ（Long
Term Evolution）等の移動通信システムでは、ＯＦＤＭ（Orthogonal Frequency Division Multiplexing）をベースとした無線マルチプルアクセスが採用される（ＯＦＤＭＡ：Orthogonal Frequency Division Multiple Accessと呼ばれる）。ＯＦＤＭは、ＣＰ（Cyclic Prefix）を挿入することで周波数選択性フェージングチャネルにおいて、信号の周期
性を維持することができる。ＬＴＥにおけるＯＦＤＭＡでは、基地局装置は、同じサブキャリア間隔から成るサブキャリアを用いて、セル内の全て端末装置と通信を行うため、サブキャリア間の直交性が維持される。
【０００３】
３ＧＰＰでは、ＯＦＤＭＡを用いた第５世代移動通信システム（５Ｇ）のマルチプルアクセスの検討も行われている。５Ｇでは、高い周波数利用効率で大容量通信を行うｅＭＢＢ（enhanced Mobile Broadband）と、多数端末を収容するｍＭＴＣ（massive Machine Type Communication）と、高信頼な低遅延通信を実現するｕＲＬＬＣ（Ultra-Reliable and Low Latency Communication）という３つのユースケースの要求条件を満たす無線マル
チプルアクセスの仕様化が進められている（非特許文献１）。このため、５ＧにおけるＯＦＤＭＡでは、各ユースケースに適したＯＦＤＭシンボル長が用いられる。例えば、ｕＲＬＬＣに用いるＯＦＤＭシンボル長は、ｅＭＢＢに用いるＯＦＤＭシンボル長よりも短くすることで、低遅延な通信を実現する。ＯＦＤＭシンボル長は、サブキャリア間隔を変えることで調整することができる(非特許文献２)。
【先行技術文献】
【非特許文献】
【０００４】
【非特許文献１】“3rd Generation Partnership Project; Technical Specification Group Radio Access Network; Study on Scenarios and Requirements for Next Generation Access Technologies;(Release 14)”  3GPP TR 38.913 v14.0.0 (2016-10)
【非特許文献２】R1-167529, 3GPP TSG RAN WG1 Meeting #86, Gothenburg, Sweden, 22nd - 26th August 2016
【発明の概要】
【発明が解決しようとする課題】
【０００５】
しかしながら、ＯＦＤＭにおいて、サブキャリア間隔が異なると、各サブキャリアのサイドローブが異なる。また、通信を行う周波数バンドによって、異なるサブキャリア間隔が用いられる場合もある。このため、複数のサブキャリア間隔を用いて基地局装置と端末装置が通信を行う無線マルチプルアクセスでは、サブキャリア間隔が変わることにより、帯域外輻射や隣接チャネルに与える干渉等が異なるという問題がある。
【０００６】
本発明はこのような事情を鑑みてなされたものであり、その目的は、複数のサブキャリア間隔を用いた無線マルチプルアクセスによって基地局装置と端末装置が通信を行う通信システムにおいて、サブキャリア間隔が異なることによる帯域外輻射や隣接チャネルに与える干渉等を柔軟に調整することが可能な基地局装置、端末装置及び通信方法を提供することにある。
【課題を解決するための手段】
【０００７】
上述した課題を解決するために本発明に係る基地局装置、端末装置および通信方法の構成は、次の通りである。
【０００８】
（１）本発明の一態様は、基地局装置と通信をする端末装置であって、ＯＦＤＭ信号のサブキャリア間隔に関する情報を前記基地局装置から受信する受信部と、前記サブキャリア間隔に関する情報に基づいて、ＯＦＤＭ信号を用いて上りリンクデータチャネルを前記基地局装置に送信する送信部と、を備え、前記送信部は、複数のサブキャリア間隔を用いて前記ＯＦＤＭ信号を生成し、前記送信部は、前記上りリンクデータチャネルをマッピングしたサブキャリアのサブキャリア間隔に基づいて、前記上りリンクデータチャネルの送信電力を設定する。
【０００９】
（２）また、本発明の一態様は、前記上りリンクデータチャネルの送信電力は、少なくとも目標受信電力値と上りリンクデータチャネルがマッピングされるリソースブロックの数によって定まる第１の補正値に基づいて設定され、前記リソースブロックは、複数のサブキャリアと複数のＯＦＤＭシンボルから一意に定まる無線リソースの領域であり、前記目標受信電力値は、前記上りリンクデータチャネルがマッピングされるリソースブロックに含まれるサブキャリアのサブキャリア間隔に基づいて設定される。
【００１０】
（３）また、本発明の一態様は、前記上りリンクデータチャネルがマッピングされるリソースブロックに含まれるサブキャリアのサブキャリア間隔が、前記複数のサブキャリア間隔に含まれる第１のサブキャリア間隔に対してＮ倍の場合、前記目標受信電力値は、前記上りリンクデータチャネルが第１のサブキャリア間隔でサブキャリアが配置されたリソースブロックにマッピングされた場合の１／Ｎに設定される。
【００１１】
（４）また、本発明の一態様は、前記受信部は、下りリンク制御情報を前記基地局装置から受信し、前記上りリンクデータチャネルの送信電力は、少なくとも目標受信電力値と上りリンクデータチャネルがマッピングされるリソースブロックの数によって定まる第１の補正値に基づいて設定され、前記リソースブロックは、複数のサブキャリアと複数のＯＦＤＭシンボルから一意に定まる無線リソースの領域であり、前記下りリンク制御情報は、前記上りリンクデータチャネルの送信電力制御コマンドを含み、前記送信部は、サブキャリア間隔毎に、前記送信電力制御コマンドと前記上りリンクデータチャネルの送信電力に対する第２の補正値とを関連付けるテーブルを有する。
【００１２】
（５）また、本発明の一態様は、前記送信部は、前記上りリンクデータチャネルを複数の周波数バンドにおけるサブキャリアにマッピングし、前記周波数バンド毎は、サブキャリア間隔が設定されており、前記補正値２は、前記サブキャリア間隔に基づいて電力の増減幅が設定されている。
【００１３】
（６）また、本発明の一態様は、前記送信部は、上りリンクデータチャネルが割当てられるサブキャリア間隔が変更される場合、前記第２の補正値を初期値にする。
【００１４】
（７）また、本発明の一態様は、前記送信部は、前記目標受信電力値の基準となるサブキャリア間隔に基づいて、前記第２の補正値を設定する。
【００１５】
（８）また、本発明の一態様は、前記送信部は、前記第１の補正値の基準となるサブキャリア間隔に基づいて、前記第２の補正値を設定する。
【００１６】
（９）また、本発明の一態様は、前記送信部は、前記上りリンクデータチャネルの送信電力が最大送信電力を超えない範囲で設定し、前記複数のサブキャリア間隔に含まれる最小のサブキャリア間隔を用いて前記上りリンクデータチャネルを送信する場合、前記最大
送信電力の下限値は、前記複数のサブキャリア間隔に含まれるその他のサブキャリア間隔により前記上りリンクデータチャネルを送信する場合に対して小さく設定される。
【００１７】
（１０）また、本発明の一態様は、前記送信部は、前記上りリンクデータチャネルを送信に用いるサブキャリア間隔を変更する場合、パワーヘッドルームレポートを前記基地局装置に送信する。
【００１８】
（１１）本発明の一態様は、基地局装置と通信する端末装置の通信方法であって、ＯＦＤＭ信号のサブキャリア間隔に関する情報を前記基地局装置から受信する受信ステップと、前記サブキャリア間隔に関する情報に基づいて、ＯＦＤＭ信号を用いて上りリンクデータチャネルを前記基地局装置に送信する送信ステップと、を有し、前記送信ステップは、複数のサブキャリア間隔を用いて前記ＯＦＤＭ信号を生成し、前記送信ステップは、前記上りリンクデータチャネルをマッピングしたサブキャリアのサブキャリア間隔に基づいて、前記上りリンクデータチャネルの送信電力を設定する。
【発明の効果】
【００１９】
本発明の一又は複数の態様によれば、複数のサブキャリア間隔を用いた無線マルチプルアクセスによって基地局装置と端末装置が通信を行う通信システムにおいて、サブキャリア間隔が異なることによる帯域外輻射や隣接チャネルに与える干渉等を柔軟に調整することができる。
【図面の簡単な説明】
【００２０】
【図１】第１の実施形態に係る通信システムの構成例を示す図である。
【図２】第１の実施形態に係る通信システムの物理リソースの一例を示す図である。
【図３】第１の実施形態に係る通信システムの物理リソースの別例を示す図である。
【図４】第１の実施形態に係る通信システムの無線フレーム構成の一例を示す図である。
【図５】第１の実施形態に係る通信システムの物理リソースの別例を示す図である。
【図６】第１の実施形態に係る通信システムの基地局装置の構成例を示す図である。
【図７】第１の実施形態に係る通信システムの端末装置の構成例を示す図である。
【発明を実施するための形態】
【００２１】
本実施形態に係る通信システムは、基地局装置（セル、スモールセル、サービングセル、コンポーネントキャリア、ｅＮｏｄｅＢ、Ｈｏｍｅ  ｅＮｏｄｅＢ、ｇＮｏｄｅＢ、アクセスポイント）および端末装置（ＵＥ:User Equipment、端末、移動局、移動端末、加
入者ユニット）を備える。該通信システムにおいて、下りリンクの場合、基地局装置は送信装置（送信点、送信アンテナ群、送信アンテナポート群）となり、端末装置は受信装置（受信点、受信端末、受信アンテナ群、受信アンテナポート群）となる。上りリンクの場合、基地局装置は受信装置となり、端末装置は送信装置となる。前記通信システムは、Ｄ２Ｄ（Device-to-Device）通信にも適用可能である。その場合、送信装置も受信装置も共に端末装置になる。なお、基地局装置は、ＲＲＨ（Remote Radio Head、基地局装置より
小型の屋外型の無線部を有する装置、Remote Radio Unit: RRUとも称す）を含むものとする。ＲＲＨは、リモートアンテナ、分散アンテナとも呼称する。ＲＲＨは、基地局装置の特殊な形態ともいえる。例えば、ＲＲＨは信号処理部のみを有し、他の基地局装置によってＲＲＨで用いられるパラメータの設定、スケジューリングの決定などが行われる基地局装置ということができる。
【００２２】
前記通信システムは、人間が介入する端末装置と基地局装置間のデータ通信に限定されるものではなく、ＭＴＣ（Machine Type Communication）、Ｍ２Ｍ通信（Machine-to-Machine Communication）、ＩｏＴ（Internet of Things）用通信、ＮＢ−ＩｏＴ（Narrow B
and-IoT）等（以下、ＭＴＣと呼ぶ）の人間の介入を必要としないデータ通信の形態にも
、適用することができる。この場合、端末装置がＭＴＣ端末とも称する。
【００２３】
前記通信システムの無線マルチプルアクセスは、上りリンク及び下りリンクにおいて、ＯＦＤＭ（Orthogonal Frequency Division Multiplexing）の伝送方式をベースとしたＯＦＤＭＡ(Orthogonal Frequency Multiple Access)を用いることができる。前記通信システムの無線マルチプルアクセスは、ＤＦＴ‐Ｓ‐ＯＦＤＭ（Discrete Fourier Transform
- Spread - OFDM）やＣｌｕｓｔｅｒｅｄ  ＤＦＴ‐Ｓ‐ＯＦＤＭの伝送方式をベースとしたＳＣ−ＦＤＭＡを用いることもできる。前記通信システムは、フィルタを適用したＦＢＭＣ（Filter Bank Multi Carrier）、ｆ−ＯＦＤＭ（Filtered - OFDM）、ＵＦ−ＯＦＤＭ（Universal Filtered - OFDM）、Ｗ−ＯＦＤＭ（Windowing - OFDM）、スパース符
号を用いる伝送方式（ＳＣＭＡ：Sparse Code Multiple Access）などを用いることもで
きる。さらに、前記通信システムは、ＤＦＴプレコーディングを適用し、上記のフィルタを用いる信号波形を用いてもよい。さらに、前記通信システムは、前記伝送方式において、符号拡散、インターリーブ、スパース符号等を施すこともできる。なお、以下の実施形態では、上りリンクはＤＦＴＳ−ＯＦＤＭ伝送を用い、下りリンクはＯＦＤＭ伝送を用いた場合で説明するが、これに限らず、他の伝送方式を適用することができる。
【００２４】
以下の実施形態に係る基地局装置及び端末装置は、無線事業者がサービスを提供する国や地域から使用許可（免許）が得られた、いわゆるライセンスバンド（licensed band）
と呼ばれる周波数バンド、及び／又は、国や地域からの使用許可（免許）を必要としない、いわゆるアンライセンスバンド（unlicensed band）と呼ばれる周波数バンドで通信す
ることができる。
【００２５】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２６】
（第１の実施形態）
図１は、本実施形態に係る通信システムの構成例を示す図である。本実施形態における通信システムは、基地局装置１０、端末装置２０−１〜２０−ｎ１（ｎ１は基地局装置１０と接続している端末装置数）を備える。端末装置２０−１〜２０−ｎ１を総称して端末装置２０とも称する。カバレッジ１０ａは、基地局装置１０が端末装置２０と接続可能な範囲（通信エリア）である（セルとも呼ぶ）。
【００２７】
図１の通信システムにおいて、以下の上りリンク物理チャネルが含まれる。上りリンク物理チャネルは、上位層から出力された情報を送信するために使用される。
・物理上りリンク制御チャネル
・物理上りリンク共有チャネル
・物理ランダムアクセスチャネル
物理上りリンク制御チャネルは、上りリンク制御情報（ＵＣＩ：Uplink Control Information）を送信するために用いられる物理チャネルである。
【００２８】
上りリンク制御情報は、下りリンクデータ（下りリンクトランスポートブロック、ＤＬ−ＳＣＨ：Downlink-Shared Channel）に対する肯定応答（positive acknowledgement、
ＡＣＫ）／否定応答（negative acknowledgement、ＮＡＣＫ）を含む。ＡＣＫ／ＮＡＣＫは、送達確認を示す信号、ＨＡＲＱ−ＡＣＫ、ＨＡＲＱフィードバックとも称される。上りリンク制御情報は、ＳＲ（Scheduling Request）を含むこともできる。
【００２９】
上りリンク制御情報は、下りリンクのチャネル状態情報（ＣＳＩ：Channel State Info
rmation）を含むこともできる。前記チャネル状態情報は、好適な空間多重数（レイヤ数
）を示すランク指標（ＲＩ：Rank Indicator）、好適なプレコーダを示すプレコーディング行列指標（ＰＭＩ：Precoding Matrix Indicator）、好適な伝送レートを指定するチャネル品質指標（ＣＱＩ：Channel Quality Indicator）などを含む。前記ＰＭＩは、端末
装置によって決定されるコードブックを示す。該コードブックは、物理下りリンク共有チャネルのプレコーディングに関連する。前記ＣＱＩは、所定の帯域における好適な変調方式（例えば、ＢＰＳＫ（Binary Phase Shift Keying）、ＱＰＳＫ（quadrature Phase Shift Keying）、１６ＱＡＭ（quadrature amplitude modulation）、６４ＱＡＭ、２５６
ＱＡＭなど）、符号化率（coding rate）とすることができる。
【００３０】
物理上りリンク共有チャネルは、上りリンクデータ（上りリンクトランスポートブロック、UL-SCH）を送信するために用いられる物理チャネルである。物理上りリンク共有チャネルは、下りリンクデータに対するＡＣＫ／ＮＡＣＫおよび／またはチャネル状態情報を送信するために用いられてもよい。物理上りリンク共有チャネルは、上りリンク制御情報を送信するために用いられてもよい。物理上りリンク共有チャネルは、上りリンクデータに巡回冗長検査（ＣＲＣ:Cyclic Redundancy Check）を付加して生成してもよい。ＣＲＣは、端末装置の識別子（ＵＥ  ＩＤ：User Equipment Identifierとも呼ぶ。）を表す系
列を用いてスクランブル（排他的論理和演算、マスク、暗号化とも呼ぶ。）されてもよい。ＵＥ  ＩＤとして、Ｃ−ＲＮＴＩ（Cell - Radio Network Temporary Identifier）、
Ｔｅｍｐｏｒａｒｙ  Ｃ−ＲＮＴＩ（Ｔ  Ｃ−ＲＮＴＩ）、ＳＰＳ  Ｃ−ＲＮＴＩ（Semi
Persistent Scheduling C -RNTI）などを用いることができる。例えば、ＵＥ  ＩＤは、端末装置がセルアップデート手順により新しいセルにアクセスした時に、基地局装置によって、該端末装置に割り当てられる。基地局装置は、各端末装置にＵＥ  ＩＤを通知する。ＵＥ  ＩＤは、ランダムアクセス手順におけるメッセージ２(ランダムアクセス応答、
ＲＡＲ：Random Access Response)／メッセージ４(Contention Resolution)に含めることもできる。ＵＥ  ＩＤは、無線リソース制御（ＲＲＣ：Radio Resource Control）メッセージに含めることもできる。
【００３１】
物理上りリンク共有チャネルは、ＲＲＣメッセージを送信するために用いられる。ＲＲＣメッセージは、無線リソース制御層において処理される情報／信号である。ＲＲＣメッセージは、端末装置のＵＥ  Ｃａｐａｂｉｌｉｔｙを含めることができる。ＵＥ  Ｃａｐａｂｉｌｉｔｙは、該端末装置がサポートする機能を示す情報である。物理上りリンク共有チャネルは、ＭＡＣ  ＣＥ（Control Element）を送信するために用いられる。ＭＡＣ
ＣＥは、媒体アクセス制御（ＭＡＣ: Medium Access Control）層において処理（送信
）される情報／信号である。例えば、パワーヘッドルームは、ＭＡＣ  ＣＥに含まれ、物理上りリンク共有チャネルを経由して報告されてもよい。すなわち、ＭＡＣ  ＣＥのフィールドが、パワーヘッドルームのレベルを示すために用いられる。上りリンクデータは、ＲＲＣメッセージ、ＭＡＣ  ＣＥを含むことができる。
【００３２】
物理ランダムアクセスチャネルは、ランダムアクセスに用いるプリアンブルを送信するために用いられる。
【００３３】
上りリンクでは、上りリンク物理信号として上りリンク参照信号（Uplink Reference Signal: UL RS）が用いられる。上りリンク物理信号は、上位層から出力された情報を送信するためには使用されないが、物理層によって使用される。上りリンク参照信号には、復調用参照信号（ＤＭＲＳ： Demodulation Reference Signal）、サウンディング参照信号（ＳＲＳ： Sounding Reference Signal）が含まれる。
【００３４】
復調用参照信号は、物理上りリンク共有チャネルまたは物理上りリンク制御チャネルの送信に関連する。例えば、基地局装置１０は、物理上りリンク共有チャネルまたは物理上
りリンク制御チャネルを復調する際の伝搬路補正を行うために復調用参照信号を使用する。復調用参照信号系列は、基地局装置１０のセルＩＤに関連付けて生成されうる。復調用参照信号系列は、サイクリックシフト及びＯＣＣ（Orthogonal Cover Code）を施して、
生成されうる。
【００３５】
サウンディング参照信号は、物理上りリンク共有チャネルまたは物理上りリンク制御チャネルの送信に関連しない。例えば、基地局装置１０は、上りリンクのチャネル状態を測定（CSI Measurement）するためにサウンディング参照信号を使用する。
【００３６】
図１の通信システムでは、以下の下りリンク物理チャネルが用いられる。下りリンク物理チャネルは、上位層から出力された情報を送信するために使用される。
・物理報知チャネル
・物理制御フォーマット指標チャネル
・物理ハイブリッド自動再送要求指標チャネル
・物理下りリンク制御チャネル
・物理下りリンク共有チャネル
物理報知チャネルは、端末装置で共通に用いられるマスターインフォメーションブロック（Master Information Block: MIB, Broadcast Channel: BCH）を報知するために用い
られる。ＭＩＢは、システム情報である。物理報知チャネルは、ブロードキャストする制御情報を含む。例えば、物理報知チャネルは、下りリンクシステム帯域、システムフレーム番号（ＳＦＮ：System Frame Number）、基地局装置によって使用される送信アンテナ
数などの情報を含む。
【００３７】
物理制御フォーマット指標チャネルは、下りリンク制御情報を送信可能な領域を通知するために用いられる。例えば、物理制御フォーマット指標チャネルは、下りリンク制御情報を送信するために、各サブフレームの先頭から何個のＯＦＤＭシンボルが確保されているか、を示す。
【００３８】
物理ハイブリッド自動再送要求指標チャネルは、物理上りリンク共有チャネルに対するＡＣＫ／ＮＡＣＫを送信するために用いられる。
【００３９】
物理下りリンク制御チャネルは、下りリンク制御情報（ＤＣＩ：Downlink Control Information）を送信するために用いられる。下りリンク制御情報は、用途に基づいた複数のフォーマット（ＤＣＩフォーマットとも称する）が定義される。各フォーマットは、用途に応じて使われる。下りリンク制御情報は、下りリンクデータ送信のための制御情報（下りリンクデータ送信に関する制御情報）と上りリンクデータ送信のための制御情報（上りリンクデータ送信に関する制御情報）を含む。
【００４０】
下りリンクデータ送信のためのＤＣＩフォーマットは、物理下りリンク共有チャネルのスケジューリングに用いられる。下りリンクデータ送信のためのＤＣＩフォーマットを、下りリンクグラント（ＤＬ  Ｇｒａｎｔ、下りリンクアサインメント）とも称する。下りリンクデータ送信のためのＤＣＩフォーマットには、物理下りリンク共有チャネルのリソース割り当てに関する情報、物理下りリンク共有チャネルに対するＭＣＳ（Modulation and Coding Scheme）に関する情報、ＨＡＲＱプロセス番号、下りリンクデータの再送に関する情報などの下りリンク制御情報が含まれる。下りリンクデータ送信のためのＤＣＩフォーマットは、物理上りリンクチャネル（例えば、物理上りリンク制御チャネル、物理上りリンク共有チャネル）や参照信号（例えば、サウンディング参照信号）に対する送信電力制御（ＴＰＣ；Transmit Power Control）を含めることができる。
【００４１】
上りリンクデータ送信のためのＤＣＩフォーマットは、物理上りリンク共有チャネルの
送信に関する制御情報を端末装置に通知するために用いられる。上りリンクデータ送信のためのＤＣＩフォーマットを、上りリンクグラント（ＵＬ  Ｇｒａｎｔ、上りリンクアサインメント）とも称する。上りリンクデータ送信のためのＤＣＩフォーマットは、物理上りリンク共有チャネルのリソース割り当てに関する情報、物理上りリンク共有チャネルのＭＣＳに関する情報、上りリンクデータ（物理上りリンク共有チャネル）の再送に関する情報、物理上りリンクチャネルに対する送信電力制御、復調用参照信号のためのサイクリックシフトに関する情報、下りリンクのチャネル状態情報（ＣＳＩ：Channel State Information、受信品質情報とも称する。）要求（CSI request）、ＨＡＲＱプロセス番号などの上りリンク制御情報を含むことができる。なお、上りリンクデータ送信のためのＤＣＩフォーマットに含まれる１又は複数の情報は、下りリンクデータ送信のためのＤＣＩフォーマットに含めることもできる。
【００４２】
物理下りリンク制御チャネルは、下りリンク制御情報に巡回冗長検査（ＣＲＣ:Cyclic Redundancy Check）を付加して生成される。物理下りリンク制御チャネルにおいて、ＣＲＣは、端末装置の識別子（ＵＥ  ＩＤ）を用いてスクランブルされる。例えば、ＣＲＣは、セル無線ネットワーク一時的識別子（Ｃ−ＲＮＴＩ：Cell- Radio Network Temporary Identifier）を用いて、スクランブルされる。
【００４３】
物理下りリンク共有チャネルは、下りリンクデータ（下りリンクトランスポートブロック、DL-SCH）を送信するために用いられる。物理下りリンク共有チャネルは、システムインフォメーションメッセージ（ＳＩＢ：System Information Block）を送信するために用いられる。ＳＩＢは、セル内における複数の端末装置に対して共通（セル固有）に送信することができる。端末装置スペシフィック（ユーザ固有）な情報は、ある端末装置に対して専用のＳＩＢを使用して送信されうる。なお、システムインフォメーションメッセージの一部又は全部は、ＲＲＣメッセージに含めることができる。
【００４４】
物理下りリンク共有チャネルは、ＲＲＣメッセージを送信するために用いられる。基地局装置から送信されるＲＲＣメッセージは、セル内における複数の端末装置に対して共通（セル固有）であってもよい。セル内の端末装置に共通な情報は、セル固有のＲＲＣメッセージを使用して送信されうる。基地局装置から送信されるＲＲＣメッセージは、ある端末装置に対して専用のメッセージ（dedicated signalingとも称する）であってもよい。
端末装置スペシフィック（ユーザ固有）な情報は、ある端末装置に対して専用のＲＲＣメッセージを使用して送信されうる。
【００４５】
物理下りリンク共有チャネルは、ＭＡＣ  ＣＥを送信するために用いられる。ＲＲＣメッセージおよび／またはＭＡＣ  ＣＥを、上位層の信号（higher layer signaling）とも称する。物理下りリンク共有チャネルは、基地局装置が各端末装置に情報データを送信するために用いられる。
【００４６】
物理下りリンク共有チャネルは、巡回冗長検査（ＣＲＣ:Cyclic Redundancy Check）を付加して生成される。ＣＲＣは、端末装置の識別子（ＵＥ  ＩＤ）を用いてスクランブルされる。
【００４７】
図１の下りリンクでは、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００４８】
同期信号は、端末装置が、下りリンクの周波数領域および時間領域の同期を取得／追跡ために用いられる。下りリンク参照信号は、端末装置が、下りリンク物理チャネルの伝搬
路補正を行なうために用いられる。例えば、下りリンク参照信号は、物理報知チャネル、物理下りリンク共有チャネル、物理下りリンク制御チャネルを復調するために用いられる。下りリンク参照信号は、端末装置が、下りリンクのチャネル状態情報を算出（ｍｅａｓｕｒｅｍｅｎｔ）するために用いることもできる。また、各種チャネルを復調するために用いられる参照信号とｍｅａｓｕｒｅｍｅｎｔするために用いられる参照信号は異なってもよい（例えば、各種チャネルを復調するために用いられる参照信号はＬＴＥにおけるＤＭＲＳ：Demodulation Reference Signalが用いられ、ｍｅａｓｕｒｅｍｅｎｔにはＣＳ
Ｉ−ＲＳが用いられる。各種チャネルを復調するために用いられる参照信号とｍｅａｓｕｒｅｍｅｎｔするために用いられる参照信号は同一であってもよい。（例えば、ＣＲＳ：Cell-specific Reference Signal）。
【００４９】
下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００５０】
ＢＣＨ、ＵＬ−ＳＣＨおよびＤＬ−ＳＣＨは、トランスポートチャネルである。ＭＡＣ層で用いられるチャネルを、トランスポートチャネルと称する。ＭＡＣ層で用いられるトランスポートチャネルの単位を、トランスポートブロック（ＴＢ：Transport Block）、
または、ＭＡＣ  ＰＤＵ（Protocol Data Unit）とも称する。トランスポートブロックは、ＭＡＣ層が物理層に渡す（deliverする）データの単位である。物理層において、トラ
ンスポートブロックはコードワードにマップされ、コードワード毎に符号化処理などが行なわれる。
【００５１】
図１において、基地局装置１０及び端末装置２０は、上りリンク及び下りリンクにおいて、グラントベースのマルチプルアクセスをサポートする（グラントベースアクセス、スケジュールドアクセスとも呼ばれる）。下りリンクにおいて、基地局装置１０は、端末装置２０に対して下りリンクグラントで通知した物理リソース（リソース割り当てに関する情報で通知）を用いて、下りリンク物理チャネルを送信する。上りリンクにおいて、端末装置２０は、基地局装置１０によって上りリンクグラントで指示された物理リソース（リソース割り当てに関する情報で通知）を用いて、上りリンク物理チャネルを送信する。物理リソースは、時間領域（ＯＦＤＭシンボル）と周波数領域（サブキャリア）で定義されるリソースである。
【００５２】
基地局装置１０及び端末装置２０は、上りリンク及び下りリンクにおいて、グラントフリー（グラントレス、コンテンションベースとも呼ばれる）を用いたマルチプルアクセス（グラントフリーアクセスとも呼ばれる）をサポートすることもできる。例えば、上りリンクのグラントフリーアクセスにおいて、端末装置２０は、基地局装置１０から上りリンクグラントの受信に依らず（上りリンクグラントの受信なしで）、上りリンクデータ（上り物理リンクチャネルなど）を送信する。基地局装置１０は、グラントフリーアクセスをサポートすることを示す情報を、報知チャネル／ＲＲＣメッセージ／システムインフォメーション（例えば、ＳＩＢ）を用いて、端末装置２０に通知することができる。端末装置２０は、グラントフリーアクセスをサポートすることを示すＵＥ  Ｃａｐａｂｉｌｉｔｙを、基地局装置１０に通知することができる。
【００５３】
上りリンクグラントフリーアクセスにおいて、端末装置２０は、上りリンクデータを送信する物理リソースをランダムに選択するようにしてもよい。例えば、端末装置２０は、利用可能な複数の物理リソースの候補がリソースプールとして基地局装置１０から通知される。該リソースプールは、報知チャネル／ＲＲＣメッセージ／システムインフォメーシ
ョンで通知される。端末装置２０は、前記リソースプールからランダムに物理リソースを選択する。
【００５４】
上りリンクグラントフリーアクセスにおいて、前記上りリンクマルチアクセスリソースは、署名リソース（Multi Access Signature Resource）と前記物理リソース（Multi Access Physical Resource）で定義される。物理リソースと署名リソースは、各端末装置が
送信した上りリンク物理チャネルを特定することに用いられうる。前記署名リソースの候補は、前記リソースプールに含まれる。端末装置２０は、前記リソースプールから署名リソースを選択する。署名リソースは、複数のマルチアクセス署名群（マルチアクセス署名プールとも呼ばれる）のうち、少なくとも１つのマルチアクセス署名で構成される。マルチアクセス署名は、各端末装置が送信する上りリンク物理チャネルを区別（同定）する特徴（目印、指標）を示す情報である。マルチアクセス署名は、空間多重パターン、拡散符号パターン（Ｗａｌｓｈ符号、ＯＣＣ；Orthogonal Cover Code、データ拡散用のサイク
リックシフト、スパース符号など）、インターリーブパターン、復調用参照信号パターン（参照信号系列、サイクリックシフト）、送信電力、等が含まれる。グラントフリーアクセスにおいて、端末装置は、選択した１つ又は複数のマルチアクセス署名を用いて、上りリンクデータを送信する。
【００５５】
基地局装置１０は、サブキャリア間隔ｆ＿ｓｃｓをもつＯＦＤＭを用いて、下りリンク信号を端末装置２０に送信する。端末装置２０は、サブキャリア間隔ｆ＿ｓｃｓをもつＤＦＴ−ｓ−ＯＦＤＭを用いて、上りリンク信号を基地局装置１０に送信する。図１の通信システムでは、上りリンク及び下りリンクにおいて、複数のサブキャリア間隔ｆ＿ｓｃｓが定義される。例えば、サブキャリア間隔ｆ＿ｓｃｓは、ｎ＿ｓｃｓ×ｆ＿ｓｃｓ＿ｏで定義される。ｆ＿ｓｃｓ＿ｏはリファレンスとなるサブキャリア間隔[Ｈｚ]である。ｎ＿ｓｃｓは、２ａ、又は２（-ａ）である（ａは自然数）。ｎ＿ｓｃｓは、ａｂ（ａは自然
数、ｂは１又は−１）と定義してもよい。基地局装置１０は、複数のサブキャリア間隔のうちの何れか用いて、端末装置２０に下りリンク信号を送信する。端末装置２０は、複数のサブキャリア間隔のうちの何れかを用いて、基地局装置１０に下りリンク信号を送信する。
【００５６】
端末装置２０は、サポートするサブキャリア間隔を示す情報を、ＵＥ  Ｃａｐａｂｉｌｉｔｙに含めて、基地局装置１０に通知することができる。基地局装置１０は、端末装置２０に対して、上りリンク及び下りリンクにおける物理チャネルで用いるサブキャリア間隔を通知する。前記サブキャリア間隔は、報知チャネル／ＲＲＣメッセージ／システムインフォメーション／ＤＣＩを用いて、通知される。基地局装置１０は、下りリンクデータ送信のためのＤＣＩフォーマットに、上りリンクのサブキャリア間隔に関する制御情報を含めることもできる。前記サブキャリア間隔は、前記マルチアクセス（グラントフリーアクセス、スケジュールドアクセス）と関連付けてもよい。例えば、グラントフリーアクセスで用いるサブキャリア間隔は、スケジュールドアクセスで用いるサブキャリア間隔より大きく設定される。サブキャリア間隔は、ＵＥ  ＩＤと関連付けてもよい。例えば、サブキャリア間隔毎に、割り当てられるＵＥ  ＩＤの範囲を設定することができる。この場合、端末装置２０は、基地局装置１０が自端末装置に割当てたＵＥ  ＩＤによって、物理チャネルの送信に用いられるサブキャリア間隔を特定することができる。基地局装置１０は、上りリンク及び下りリンクにおける物理チャネル送信に用いるリソース割り当てに関する情報を、ＤＣＩによって、サブキャリア間隔毎に通知することができる。
【００５７】
図２は、本実施形態に係る実施形態に係る通信システムの物理リソースの一例を示す図である。図２は、サブキャリア間隔ｆ＿ｓｃｓ＝１５ｋＨｚ（ｎ＿ｓｃｓ＝１）の例である。図３は、本実施形態に係る実施形態に係る通信システムの物理リソースの別例を示す図である。図２は、サブキャリア間隔ｆ＿ｓｃｓ＝３０ｋＨｚ（ｎ＿ｓｃｓ＝２）の例で
ある。
基地局装置１０は、システム帯域毎に、サブキャリア間隔を設定することができる。基地局装置１０は、端末装置２０に対する上りリンク及び下りリンク物理チャネルのサービス品質ＱｏＳ（Quality of Service）、ＴＴＩ；Transmission Time Intervalや用途（ｅＭＢＢ，ｍＭＴＣ、ｕＲＬＬＣ）によって、各システム帯域に用いるサブキャリア間隔を設定してもよい。ＴＴＩは、スケジューリングの最小時間単位である。ｅＭＢＢ（enhanced
Mobile Broadband）は高い周波数利用効率で大容量通信を行うことを用途とする。ｍＭ
ＴＣ（massive Machine Type Communication）は多数端末を収容し、各端末に対して小さいデータを伝送することを用途とする。ｕＲＬＬＣ（Ultra-Reliable and Low Latency Communication）は高信頼かつ低遅延で通信することを用途する。
【００５８】
本実施形態に係る実施形態に係る通信システムは、物理チャネルの送信に用いる周波数バンド毎に、サブキャリア間隔を設定することもできる。該通信システムでは、各周波数バンドに、デフォルトとなるサブキャリア間隔を設定してもよい。例えば、２つの周波数バンドを用いる場合、高い周波数バンドにおけるデフォルトとなるサブキャリア間隔は、低い周波数バンドおけるデフォルトとなるサブキャリア間隔より大きく設定される。基地局装置１０及び端末装置２０は、周波数バンドに従って、リファレンスとなるサブキャリア間隔を用いて、物理チャネルを送信する。
【００５９】
本実施形態に係る通信システムでは、物理チャネルをマッピングするため所定のリソース割り当てユニットが定義される。リソース割り当てユニットは、サブキャリア数及びＯＦＤＭシンボル数（ＤＦＴ−Ｓ−ＯＦＤＭを用いる場合、ＳＣ−ＦＤＭＡシンボル数）で定義される。基地局装置１０は、上りリンクグラント及び下りリンクグラントにおけるリソース割り当てに関する情報を、リソース割り当てユニット数で通知することができる。図２及び図３では、リソース割り当てユニットは１２個のサブキャリアと１４個のＯＦＤＭシンボルで構成される例である（図２におけるリソース割り当てユニットＡ、図３におけるリソース割り当てユニットＢ）。図２及び図３は、サブキャリア間隔に依らず、同一のサブキャリア数でリソース割り当てユニットが定義される例である。なお、リソース割り当てユニットのサブキャリア数は、サブキャリア間隔に依存して、定義されてもよい。例えば、サブキャリア間隔ｆ＿ｓｃｓ＝１５ｋＨｚ（ｎ＿ｓｃｓ＝１）の場合、リソース割り当てユニットは１２個のサブキャリアから構成され、サブキャリア間隔ｆ＿ｓｃｓ＝３０ｋＨｚ（ｎ＿ｓｃｓ＝２）の場合、リソース割り当てユニットは６個のサブキャリアから構成される。
【００６０】
リソース割り当てユニットを構成するＯＦＤＭシンボル数は、サービス品質ＱｏＳ、ＴＴＩ；Transmission Time Interval、や用途（ｅＭＢＢ，ｍＭＴＣ、ｕＲＬＬＣ）によって、異なる設定を用いることができる。ＴＴＩは、スケジューリングの最小時間単位である。例えば、リソース割り当てユニットを構成するＯＦＤＭシンボル数は、サブフレーム単位、スロット単位、ミニスロット単位で設定される。図４は、本実施形態に係る通信システムの無線フレーム構成例を示す図である。無線フレーム構成は、時間領域の物理リソースにおける構成を示す。図４は、サブキャリア間隔ＳＣＳ＝１５ｋＨｚの例である。下りリンク及び上りリンクにおいて、１つの無線フレームは、複数のサブフレームから構成される。図４は、１つの無線フレームが１０個のサブフレームから構成される例である。図４は、１つのサブフレームが１４つのＯＦＤＭシンボルから構成される例である。例えば、サブキャリア間隔１５ｋＨｚにおける無線フレーム長が１０ｍｓの場合、サブフレーム長は１ｍｓとなる。リソース割り当てユニットがサブフレーム単位で設定される場合、リソース割り当てユニットを構成するＯＦＤＭシンボル数は、１４個となる。
【００６１】
１つのスロットは、基地局装置１０及び端末装置２０が物理チャネル及び物理信号の送信に用いるサブキャリア間隔において生成される複数のＯＦＤＭシンボルから構成される
。図４は、１つのスロットが７つのＯＦＤＭシンボルから構成される例である。図４は、１つのサブフレームが２つのスロットから構成される例である。例えば、サブキャリア間隔１５ｋＨｚにおけるサブフレーム長が１ｍｓの場合、スロット長は０．５ｍｓとなる。本実施形態に係る通信システムは、スロットを、基地局装置１０及び端末装置２０が物理チャネル（例えば、物理データ共有チャネル、物理制御チャネル）をマッピングする最小単位としてもよい。この場合、リソース割り当てユニットを構成するＯＦＤＭシンボル数は、スロットを構成数ＯＦＤＭシンボル数と一致する。
【００６２】
１つのミニスロットは、基地局装置１０及び端末装置２０が物理チャネルの送信に用いるサブキャリア間隔において生成される複数のＯＦＤＭシンボル（例えば、２つ、４つ）から構成される。ミニスロット長は、スロット長より短い。図４は、１つのミニスロットが２つのＯＦＤＭシンボルから構成される例である。基地局装置１０は、スロット／ミニスロットを構成するＯＦＤＭシンボル数を設定してもよい。基地局装置１０は、スロット／ミニスロットを構成するＯＦＤＭシンボル数をシグナリングし、端末装置２０に通知するようにしてもよい。本実施形態に係る通信システムは、ミニスロットを、端末装置２０が物理チャネル（例えば、物理データ共有チャネル、物理制御チャネル）をマッピングする最小単位としてもよい。この場合、リソース割り当てユニットを構成するＯＦＤＭシンボル数は、ミニスロットを構成数ＯＦＤＭシンボル数と一致する。なお、図４では、サブキャリア間隔ＳＣＳ＝１５ｋＨｚの例で説明したが、他のサブキャリア間隔においても、複数の時間領域の区間（サブフレーム、スロット、ミニスロット）が定義されてもよい。
【００６３】
本実施形態に係る通信システムでは、リファレンスとなる物理リソース領域を定義することができる。リファレンスとなる物理リソース領域は、リファレンスとなるサブキャリア間隔をもつリソース割り当てユニットと定義することができる。例えば、サブキャリア間隔ｆ＿ｓｃｓ＝１５ｋＨｚ（ｎ＿ｓｃｓ＝１）をリファレンスとすると、図２のリソース割り当てユニットがリファレンスとなる物理リソース領域となる（以下では、リファレンスとなる物理リソース領域は、リソースブロックと呼ぶ）。基地局装置１０は、上りリンクグラント及び下りリンクグラントにおけるリソース割り当てに関する情報を、リソースブロック数で通知することができる。
【００６４】
リソースブロックは、周波数帯域幅［Ｈｚ］及び時間［ｍｓｅｃ］を基準に、定義することができる。図２のサブキャリア間隔ｆ＿ｓｃｓ＝１５ｋＨｚをもつリソース割り当てユニット（サブキャリア数１２個及びＯＦＤＭシンボル数１４個）をリファレンスとすると、リソースブロックは、周波数帯域幅１８０ｋＨｚと期間１ｍｓｅｃの領域となる。リソースブロックは、このリファレンスの帯域幅［Ｈｚ］及び時間［ｓｅｃ］を基準に、他のサブキャリア間隔をもつ物理リソースと対応づけられる。図３において、サブキャリア間隔ｆ＿ｓｃｓ＝３０ｋＨｚは、リファレンスであるサブキャリア間隔ｆ＿ｓｃｓ＝１５ｋＨｚの２倍である（ＯＦＤＭシンボル長は、１／２である）。よって、サブキャリア間隔ｆ＿ｓｃｓ＝３０ｋＨｚの物理リソースにおいて、リソースブロックは、６個のサブキャリアと２８個のＯＦＤＭシンボルで定義される。これにより、リソースブロックは、サブキャリア間隔によらず、一意に定義することができる。
【００６５】
基地局装置１０及び端末装置２０が物理チャネルをマッピングするリソース割り当てユニットは、リソースブロックを用いて表現することができる。例えば、図２において、端末装置２０が、２つのリソース割り当てユニットＡを用いて上りリンク物理チャネルを送信する場合、上りリンク物理チャネルをマッピングする領域は、２つのリソースブロックと表現できる。図３において、２つのリソース割り当てユニットＢを用いて上りリンク物理チャネルを送信する場合、上りリンク物理チャネルをマッピングする周波数領域は、４つのリソースブロックと表現できる。
【００６６】
リソースブロックは、サブキャリア数及びＯＦＤＭシンボル数を基準に、定義することもできる。この場合、基地局装置１０は、上りリンクグラント及び下りリンクグラントにおけるリソース割り当てに関する情報をリソースブロック単位で通知することができる。例えば、サブキャリア数１２個及びＯＦＤＭシンボル数１４個からなる物理リソースの範囲をリソースブロックとすると（すなわち、リソースブロックの範囲が、キャリア間隔によらず、サブキャリア数及びＯＦＤＭシンボル数によって一意に設定する場合）、サブキャリア間隔ｆ＿ｓｃｓ＝１５ｋＨｚ、３０ｋＨｚでは、リソース割り当てユニットがリソースブロックと一致する。この場合、端末装置２０が、２つのリソース割り当てユニットＡを用いて上りリンク物理チャネルを送信する場合、上りリンク物理チャネルをマッピングする領域は、２つのリソースブロックと表現できる。図３において、２つのリソース割り当てユニットＢを用いて上りリンク物理チャネルを送信する場合、上りリンク物理チャネルをマッピングする領域は、２つのリソースブロックと表現できる。これにより、リソースブロックは、サブキャリア間隔に依らず、同一のサブキャリア数及びＯＦＤＭシンボル数で定義することができる。
【００６７】
基地局装置１０は、１つのシステム帯域に、複数のサブキャリア間隔を設定することができる。図５は、本実施形態に係る実施形態に係る通信システムの物理リソースの別例を示す図である。図５は、１つのシステム帯域内に、サブキャリア間隔ｆ＿ｓｃｓ＝１５ｋＨｚ及び３０ｋＨｚが周波数分割多重（ＦＤＭ；Frequency Division Multiplexing）さ
れる例である。図５では、システム帯域における両端に割当てるサブキャリア間隔が、内側に割当てるサブキャリア間隔より小さい場合である。基地局装置１０は、Ｑｏｓや用途によって、端末装置２０に対する上りリンク及び下りリンク物理チャネルをマッピングする領域をスケジュールする。例えば、端末装置２０−１がｅＭＢＢの用途で上りリンク物理チャネルを送信する場合、基地局装置１０は、サブキャリア間隔ｆ＿ｓｃｓ＝１５ｋＨｚをもつリソース割り当てユニットＡ（リソース割り当てユニットＡ−１／リソース割り当てユニットＡ−２）を端末装置２０−１に割当てる。端末装置２０−２がＵＲＬＬＣの用途で上りリンク物理チャネルを送信する場合、基地局装置１０は、サブキャリア間隔ｆ＿ｓｃｓ＝３０ｋＨｚをもつリソース割り当てユニットＢを端末装置２０−２に割当てる。なお、１つのシステム帯域内において、各サブキャリア間隔のサブキャリアを配置する周波数領域は、予め設定しておいてもよい。
【００６８】
基地局装置１０は、上りリンク及び下りリンクにおいて、１つの端末装置２０−１に複数のサブキャリア間隔の物理リソースを同時に割当てることができる。例えば、図５において、基地局装置１０は、端末装置２０−１に対して、ＯＦＤＭシンボルの重複するリソース割り当てユニットＡ−１及びリソース割り当てユニットＢ−１に物理チャネルを割り当てることができる。図５において、基地局装置１０は、端末装置２０−１に対して、システム帯域内の全リソース割り当てユニットに亘って、同時に（重複するＯＦＤＭシンボルに）、物理チャネルを割り当てることもできる。基地局装置１０は、前記物理チャネルの送信に用いるリソース割り当てに関する情報を、ＤＣＩにおいて、サブキャリア間隔毎に通知することができる。
【００６９】
基地局装置１０は、端末装置２０に対して、上りリンク及び下りリンクにおける物理チャネル送信に用いる各サブキャリア間隔の割り当て帯域幅情報を通知することもできる。前記サブキャリア間隔の割り当て帯域幅情報は、報知チャネル／ＲＲＣメッセージ／システムインフォメーション／ＤＣＩで通知されうる。基地局装置１０は、下りリンクデータ送信のためのＤＣＩフォーマットに、上りリンクの前記サブキャリア間隔の割り当て帯域幅情報を含めることもできる。前記サブキャリア間隔の割り当て帯域幅情報は、上りリンクデータを送信するために端末装置２０−１に割当てられた物理リソースのトータルの帯域幅のうち、各サブキャリア間隔で送信する帯域幅の割合とすることができる。
【００７０】
図６は、本実施形態に係る端末装置２０の構成を示す概略ブロック図である。端末装置２０は、受信アンテナ２０２、受信部（受信ステップ）２０４、上位層処理部（上位層処理ステップ）２０６、制御部（制御ステップ）２０８、送信部（送信ステップ）２１０、送信アンテナ２１２を含んで構成される。受信部２０４は、無線受信部（無線受信ステップ）２０４０、デマッピング部（多重分離ステップ）２０４２、復調部（復調ステップ）２０４４、及び復号部（復号ステップ）２０４６を含んで構成される。送信部２１０は、符号化部（符号化ステップ）２１００、変調部（変調ステップ）２１０２、ＤＦＴ部（ＤＦＴステップ）２１０４、拡散部（拡散ステップ）２１０６、マッピング部（マッピングステップ）２１０８、無線送信部（無線送信ステップ）２１１０、上りリンク参照信号生成部（上りリンク参照信号生成ステップ）２１１２及び送信電力制御部２１１４を含んで構成される。
【００７１】
受信部２０４は、受信アンテナ２０２を介して基地局装置１０が送信した下りリンク信号（下りリンク物理チャネル、下りリンク物理信号）を受信し、各下りリンク信号を分離、復調、復号する。受信部２０４は、下りリンク信号から分離した物理下りリンク制御チャネルを、復調、復号後に制御部２０８に出力する。受信部２０４は、下りリンク物理チャネルの復号結果を上位層処理部２０６に出力する。
【００７２】
無線受信部２０４０は、受信アンテナ２０２を介して受信した下りリンク信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２０４０は、変換したディジタル信号からＣＰ（Cyclic Prefix）に相当する部
分を除去し、ＣＰを除去した下りリンク信号に対して高速フーリエ変換を行い（ＯＦＤＭ変調に対する復調処理）、周波数領域の信号を抽出する。
【００７３】
デマッピング部２０４２は、前記抽出した周波数領域の下りリンク信号に含まれる下りリンク物理チャネル（物理下りリンク制御チャネル、物理下りリンク共有チャネル、物理報知チャネル、等）及び下りリンク参照信号等を、分離抽出する。デマッピング部２０４２は、下りリンク参照信号を用いたチャネル測定機能（チャネル測定部）を含む。デマッピング部２０４２は、前記チャネル測定結果を用いた下りリンク信号のチャネル補償機能（チャネル補償部）を含む。デマッピング部は、下りリンク物理チャネルを復調部２０４４に出力する。
【００７４】
復調部２０４４は、各下りリンク物理チャネルの変調シンボルそれぞれに対して、ＢＰＳＫ、ＱＰＳＫ、１６ＱＡＭ、６４ＱＡＭ、２５６ＱＡＭ等の予め定められた、または下りリンクグラントで予め通知した変調方式を用いて復調処理を行なう。
【００７５】
復号部２０４６は、復調された各下りリンク物理チャネルの符号化ビットを、予め定められた符号化方式の、予め定められた、又は下りリンクグラントで予め通知した符号化率で復号処理を行う。下りリンク物理チャネルの復号結果は、上位層処理部２０６及び制御部２０８へ出力される。
【００７６】
制御部２０８は、物理下りリンク制御チャネルに含まれるＤＣＩを受信部２０４から取得する。制御部２０８は、物理報知チャネル／物理下りリンク共有チャネル等に含まれる報知情報／システムインフォメーション／ＲＲＣメッセージ等を受信部２０４／上位層処理部２０６から取得する。報知情報／システムインフォメーション／ＲＲＣメッセージ等は、下りリンク受信に関する設定情報／上りリンク送信に関する設定情報を含む。制御部２０８は、ＤＣＩに含まれる下りリンクデータ受信に関する制御情報／下りリンク受信に関する設定情報を用いて、受信部２０４に含まれる各ブロックの制御を行う。制御部２０
８は、ＤＣＩに含まれる上りリンクデータ送信に関する制御情報／上りリンクデータ送信に関する設定情報を用いて、送信部２１０に含まれる各ブロックの制御を行う。下りリンク受信に関する制御情報／下りリンク受信に関する設定情報は、上りリンク及び下りリンクのグラントフリーアクセスに関する設定情報／上りリンク及び下りリンクのサブキャリア間隔に関する情報／各サブキャリア間隔の割り当て帯域幅情報を含むことができる。下りリンク受信に関する制御情報／下りリンク受信に関する設定情報は、上りリンクの送信電力制御に関する情報を含むことができる。上りリンク送信に関する制御情報／上りリンク送信に関する設定情報は、上りリンクのグラントフリーアクセスに関する設定情報／上りリンクのサブキャリア間隔に関する情報／各サブキャリア間隔の割り当て帯域幅情報／上りリンク送信電力制御に関する情報を含むことができる。上りリンク送信電力制御に関する情報は、端末装置送信電力の算出に用いる各種パラメータ（詳細は後述）を含む。なお、送信部２１０が物理上りリンク制御チャネルを送信する場合、制御部２０８は、上りリンク制御情報（ＵＣＩ：Uplink Control information）を生成し、送信部２１０に出力する。なお、制御部２０８の機能の一部は、上位層処理部１０２に含めることができる。
【００７７】
上位層処理部２０６は、媒体アクセス制御（ＭＡＣ）層、パケットデータ統合プロトコル（ＰＤＣＰ）層、無線リンク制御（ＲＬＣ）層、無線リソース制御（ＲＲＣ）層の処理を行う。上位層処理部２０６は、自端末装置がサポートしている端末装置の機能に関する情報（UE capability）を送信部２１０に出力する。例えば、上位層処理部２０６は、前
記端末装置の機能に関する情報をＲＲＣ層でシグナリングする。
【００７８】
前記端末装置の機能に関する情報は、その端末装置が所定の機能をサポートするかどうかを示す情報、またはその端末装置が所定の機能に対する導入およびテストの完了を示す情報を含む。所定の機能をサポートするかどうかは、所定の機能に対する導入およびテストを完了しているかどうかを含む。端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しないようにしてよい。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００７９】
前記端末装置の機能に関する情報は、サポートしているサブキャリア間隔を示す情報、グラントフリーアクセスをサポートすることを示す情報、サポートしている周波数バンドに関する情報を含む。サポートしているサブキャリア間隔を示す情報は、グラントフリーアクセスをサポートすることを示す情報、サポートしている周波数バンドに関する情報と関連付けることができる。例えば、基地局装置１０は、端末装置２０が送信した周波数バンドに関する情報により、サブキャリア間隔を特定することができる。
【００８０】
上位層処理部２０６は、自端末装置の各種設定情報の管理をする。上位層処理部２０６は、前記各種設定情報を制御部２０８／送信部２１０に入力される。上位層処理部２０６は、下りリンク物理チャネルから取得した上りリンク送信に関する設定情報／下りリンク受信に関する設定情報を制御部２０８に入力する。上位層処理部２０６は、上りリンク送信に関する設定情報／下りリンク受信に関する設定情報を用いて、受信部２０４／送信部２１０の各ブロックを制御するための設定パラメータを算出し、制御部２０８に入力する。上位層処理部２０６は、基地局装置１０に通知する設定情報（UE Capability、ＢＳＲ
；Buffer Status Report、パワーヘッドルームレポートなど）を生成し、送信部２１０に入力する。
【００８１】
上位層処理部２０６は、ユーザの操作等によって生成された上りリンクデータ（例えば
、ＤＬ−ＳＣＨ）を、送信部２１０に出力する。上位層処理部２０６は、ユーザの操作を介さず（例えば、センサにより取得されたデータ）に生成された上りリンクデータを、送信部２１０に出力することもできる。前記上りリンクデータには、ＵＥ  ＩＤを格納するフィールドを有しても良い。上位層処理部２０６は、前記上りリンクデータにＣＲＣを付加する。前記ＣＲＣのパリティビットは、前記上りリンクデータを用いて生成される。前記ＣＲＣのパリティビットは、自端末装置に割当てられたＵＥ  ＩＤでスクランブル（排他的論理和演算、マスク、暗号化とも呼ぶ）される。
【００８２】
送信部２１０は、スケジュールドアクセスにおいて、上りリンクデータが発生した場合、基地局装置１０にスケジューリングリクエスト（ＳＲ；Scheduling Request）やＢＳＲなどの上りリンクリソースの割り当てを要求するための情報を生成する。送信部２１０は、ＤＣＩに含まれる上りリンクの送信に関する制御情報／上りリンクの送信に関する設定情報に基づいて、物理上りリンク共有チャネル、物理リンク制御チャネルを送信する。送信部２１０は、グラントフリーアクセスにおいて、上りリンクデータが発生した場合、基地局装置１０から送信されたグラントフリーアクセスに関する設定情報に基づいて、上りリンクグラントの受信なしで、物理上りリンク共有チャネルを送信する。送信部２１０は、制御部２０８から入力されるサブキャリア間隔に関する情報／上りリンク送信電力制御に関する情報に従って、前記物理上りリンク共有チャネルを送信する。
【００８３】
符号化部２１００は、予め定められた／制御部２０８が設定した符号化方式を用いて、上位層処理部２０６から入力された上りリンクデータ、ＵＣＩなどを符号化する（リピティションを含む）。符号化方式は、畳み込み符号化、ターボ符号化、ＬＤＰＣ（Low Density Parity Check）符号化、Ｐｏｌａｒ符号化、等を適用することができる。前記符号化は、符号化率１／３に加え、低い符号化率１／６や１／１２などのマザーコードを用いてもよい。変調部２１０２は、符号化部２１００から入力された符号化ビットをＢＰＳＫ、ＱＰＳＫ、１６ＱＡＭ、６４ＱＡＭ、２５６ＱＡＭ等（π／２シフトＢＰＳＫ、π／２シフトＱＰＳＫも含んでもよい）のＤＣＩで通知された変調方式または、チャネル毎に予め定められた変調方式で変調する。
【００８４】
拡散部２１０６は、制御部２０８から拡散符号系列の設定が入力された場合、その設定に従って、変調部２１０２から出力される系列に対して拡散符号系列を乗算する。例えば、拡散部２１０６は、グラントフリーアクセスにおける署名リソースに拡散符号が設定された場合、その設定に基づいて、拡散処理が行われる。署名リソースとしてインターリーブが設定された場合、拡散部２１０６は、インターリーブ部に置換えることができる。インターリーブ部は、ＤＦＴ部から出力される系列に対して、制御部２０８から入力されるインタリーブパターンの設定に従ってインターリーブ処理を行う。その他の署名リソースが適用された場合でも、同様に置換えることができる。なお、拡散処理は、ＤＦＴ処理後の系列に対して行ってもよい。
【００８５】
ＤＦＴ部２１０４は、拡散処理部２１０６から出力される拡散後の変調シンボルを並列に並び替えてから離散フーリエ変換（Discrete Fourier Transform: DFT）処理をする。
ここで，前記変調シンボルにゼロのシンボル列を付加して、ＤＦＴを行うことでＩＦＦＴ後の時間信号にＣＰの代わりにゼロ区間を使う信号波形としても良い。また、変調シンボルにＧｏｌｄ系列やＺａｄｏｆｆ−Ｃｈｕ系列などの特定の系列を付加して、ＤＦＴを行うことでＩＦＦＴ後の時間信号にＣＰの代わりに特定パターンを使う信号波形としても良い。ただし，信号波形をＯＦＤＭとする場合は、ＤＦＴを適用しない。
【００８６】
上りリンク参照信号生成部２１１２は、制御部２０８から入力される復調用参照信号の設定情報に従って、復調用参照信号を生成する。復調用参照信号の設定情報は、基地局装置１０を識別するための物理セル識別子（physical cell identity: PCI、Cell IDなどと
称される）、上りリンク参照信号をマッピングするサブキャリア数（帯域幅）、ＯＦＤＭシンボル数、サイクリックシフト、ＯＣＣ系列等が含まれる。復調用参照信号の設定情報は、上りリンク送信に関する制御情報／上りリンク送信に関する設定情報から取得される。
【００８７】
マッピング部２１０８は、上りリンクデータ送信に関する制御情報に含まれるリソース割り当てに関する情報に従って、上りリンク物理チャネル（ＤＦＴ部２１０４の出力信号）、上りリンク参照信号をリソースエレメントにマッピング（時間／周波数／空間多重）する。
【００８８】
無線送信部２１１０は、多重された信号を逆高速フーリエ変換（Inverse Fast Fourier
Transform: IFFT）して、ＤＦＴ−ｓ−ＯＦＤＭ方式の変調を行い、ＳＣ−ＦＤＭＡシ
ンボルを生成する。無線送信部２１１０は、サブキャリア間隔の設定に従って、逆高速フーリエ変換を行う。例えば、サブキャリア間隔ｆ＿ｓｃｓ＝１５ｋＨｚにおいて、ＩＦＦＴポイント数２０４８を用いる場合、無線送信部２１１０は、サブキャリア間隔ｆ＿ｓｃｓ＝３０ｋＨｚにおいて、ＩＦＦＴポイント数が１０２４を用いる。なお、逆高速フーリエ変換によって、複数のサブキャリア間隔のＳＣ−ＦＤＭＡシンボルが生成されればよく、生成方法に拘泥されない。
【００８９】
無線送信部２１１０は、前記ＳＣ−ＦＤＭＡシンボルにＣＰを付加し、ベースバンドのディジタル信号を生成する。さらに、無線送信部２１１０は、前記ベースバンドのディジタル信号をアナログ信号に変換し、余分な周波数成分を除去し、アップコンバートにより搬送周波数に変換し、電力増幅し、送信アンテナ２１２を介して基地局装置１０にＤＦＴ−Ｓ−ＯＦＤＭ信号を送信する。無線送信部２１１０は、送信電力制御部２１１２から入力される端末装置送信電力の設定に従って、前記電力増幅を行う。
【００９０】
送信電力制御部２１１２は、制御部２０８から入力される上りリンク送信電力に関する情報に基づいて、各上りリンク物理チャネルに応じて、送信電力制御を行う。送信電力制御部２１１２は、制御部２０８から入力される上りリンク送信電力に関する情報に基づいて、各上りリンク物理チャネルに応じた端末装置送信電力を算出する。なお、基地局装置１０からＲＲＣ／ＤＣＩによって通知される上りリンク送信電力制御に関する情報は、端末装置送信電力の算出ために基地局装置１０から通知される情報を含む。
【００９１】
例えば、物理下りリンク共有チャネルを送信するための端末装置送信電力Ｐ＿ＰＵＳＣＨ（ｉ）［ｄＢｍ］は式（１）で決定される。
【００９２】
【数１】
2020036052.tif 000003
【００９３】
・・・式（１）
ｉは、端末装置送信電力を構成する各項の値を定義するための時間領域の基準である。以下において、ｉは、各項の値を算出するための基準となるサブフレーム番号として説明する。Ｐ＿ＣＭＡＸ［ｄＢｍ］は、許容される端末装置の最大出力電力である。Ｐ＿ＣＭ
ＡＸは、上限Ｐ＿ＣＭＡＸ＿Ｈ及び下限Ｐ＿ＣＭＡＸ＿Ｌの範囲内でセットされる。下限Ｐ＿ＣＭＡＸ＿Ｌは、ＭＩＮ｛Ｐ＿ＥＭＡＸ−ΔＴ＿Ｃ  Ｐ＿ＰｏｗｅｒＣｌａｓｓ−ＭＡＸ（ＭＰＲ，ｃ＋Ａ−ＭＰＲ＋ΔＴ＿Ｃ  ，Ｐ−ＭＰＲ）｝と定義される。上限Ｐ＿ＣＭＡＸ＿Ｈは、ＭＩＮ｛Ｐ＿ＥＭＡＸ  Ｐ＿ＰｏｗｅｒＣｌａｓｓ｝で定義される。ここで、ＭＩＮ｛Ａ  Ｂ｝は、値Ａ及び値Ｂのうちいずれか小さい方を選択することを示す。ＭＡＸ｛Ａ  Ｂ｝は、値Ａ及び値Ｂのうちいずれか大きい方を選択することを示す。
【００９４】
Ｐ＿ＥＭＡＸは、基地局装置１０が、端末装置２０に対して、上りリンクデータを送信するために用いるキャリア周波数の上りリンク送信電力を制限するために用いられるパラメータである。基地局装置１０は、ＲＲＣを用いて、Ｐ＿ＥＭＡＸを端末装置２０に通知する。Ｐ＿ＥＭＡＸは、そのキャリア周波数で用いるサブキャリア間隔に応じて、設定してもよい。Ｐ＿ＰｏｗｅｒＣｌａｓｓ［ｄＢｍ］は、端末装置２０が上りリンクデータ送信に用いる周波数バンド毎に設定される最大送信電力である。
【００９５】
ＭＰＲは、Ｐ＿ＰｏｗｅｒＣｌａｓｓから許容される最大電力削減（Maximum Power Reduction）の値である。ＭＰＲは、上りリンクデータに割当てられた送信帯域幅及び上り
リンクデータの変調方式に基づいて定められている。端末装置は、上りリンクデータに割当てられた送信帯域幅及び変調方式に従って、ＭＰＲを設定する。Ａ−ＭＰＲは、上りリンクデータのスペクトラムが、隣接チャネル漏洩電力比（ＡＣＬＲ；Adjacent Channel Leakage Ratio）やスペクトラム輻射の要求を充たすために、許容される追加の最大電力削減の値である。基地局装置１０は、ＲＲＣを用いて、Ａ−ＭＰＲを端末装置２０に通知する。
【００９６】
Ｐ−ＭＰＲは、複数の無線アクセス技術（ＲＡＴ；Radio Access Technology）を用い
て同時に上りリンクデータを送信する場合に、不要輻射等の要求を遵守することを保証するために許容される最大電力削減の値である。Ｐ−ＭＰＲは端末装置２０が設定することができる。ＭＰＲ／Ａ−ＭＰＲ／Ｐ−ＭＰＲは、上りリンクデータを送信するサブキャリアのサブキャリア間隔毎に設定してもよい。例えば、ＭＰＲ／Ａ−ＭＰＲ／Ｐ−ＭＰＲは、サブキャリア間隔が大きい場合に、サブキャリア間隔が小さい場合より、大きく設定される。これにより、物理下りリンク共有チャネルをマッピングする物理リソースのサブキャリア間隔が大きい場合（例えば、ｆ＿ｓｃｓ＝３０ｋＨｚ）、サブキャリア間隔が小さい場合（例えば、ｆ＿ｓｃｓ＝１５ｋＨｚ）よりＰ＿ＣＭＡＸの下限値を低く設定できる。よって、サブキャリア間隔が大きくなることによって発生する不要輻射、帯域外輻射、隣接チャネル電力漏洩を低減することができる。
【００９７】
ΔＴ＿Ｃは、Ｐ＿ＰｏｗｅｒＣｌａｓｓにおける許容誤差に余裕をもたせるために設定される補正値である。ΔＴ＿Ｃは、上りリンクデータの送信帯域幅の両端のスペクトルマスクの設定を充たすために用いられる。本実施形態に係る通信システムでは、ΔＴ＿Ｃは、上りリンクデータを送信するサブキャリアのサブキャリア間隔に基づいて設定されてもよい。例えば、ΔＴ＿Ｃは、サブキャリア間隔が大きい場合に、サブキャリア間隔が小さい場合より、大きく設定される。
【００９８】
Ｍ＿ＰＵＳＣＨ（ｉ）は、サブフレームｉにおいて、物理上りリンク共有チャネルの送信のために割当てられたリソースの帯域幅を示す。１０Ｌｏｇ１０（Ｍ＿ＰＵＳＣＨ（ｉ））は、上りリンクデータチャネルがマッピングされる物理リソースによって定まる補正値である。Ｐ＿Ｏ＿ＰＵＳＣＨ（ｊ）[ｄＢｍ]は、基地局装置１０における物理上りリンク共有チャネルの目標受信電力レベルである。Ｍ＿ＰＵＳＣＨ（ｉ）及び／またはＰ＿Ｏ＿ＰＵＳＣＨ（ｊ）は、上りリンクデータを送信するサブキャリア間隔毎に設定することができる。Ｐ＿Ｏ＿ＰＵＳＣＨ（ｊ）は、Ｐ＿Ｏ＿ＮＯＭＩＮＡＬ＿ＰＵＳＣＨ（ｊ）＋Ｐ＿Ｏ＿ＵＥ＿ＰＵＳＣＨ（ｊ）＋Ｐ＿Ｏ＿ＳＣＳ＿ＰＵＳＣＨ（ｉ）で設定される。Ｐ
＿Ｏ＿ＮＯＭＩＮＡＬ＿ＰＵＳＣＨ（ｊ）は、セル固有に設定される目標受信電力レベル（目標受信電力値）の要素である。Ｐ＿Ｏ＿ＵＥ＿ＰＵＳＣＨ（ｊ）は、端末装置固有に設定される目標受信電力レベルの要素である。基地局装置１０は、Ｐ＿Ｏ＿ＮＯＭＩＮＡＬ＿ＰＵＳＣＨ（ｊ）、Ｐ＿Ｏ＿ＵＥ＿ＰＵＳＣＨ（ｊ）を、ＲＲＣによって端末装置２０に通知する。Ｐ＿Ｏ＿ＳＣＳ＿ＰＵＳＣＨ（ｊ）は上りリンクデータが割り当てられるサブキャリア間隔によって設定される目標受信電力レベルの要素である。
【００９９】
ｊは上りリンクデータの種類によって定まるパラメータである。ｊ＝０は、物理リンク上りリンク共有チャネルがセミパーシステントにスケジューリングされる場合（ＳＰＳ  Ｃ−ＲＮＴＩでスクランブルされている場合）を示す。ｊ＝１は、物理リンク上りリンク共有チャネルがダイナミックスケジューリング（例えば、Ｃ−ＲＮＴＩでスクランブルされている場合）を示す。ｊ＝２は、ランダムアクセスに関するデータ（例えば、メッセージ３）が送信される場合を示す。物理リンク上り共有チャネルがグラントフリーアクセスで送信される場合、ｊ＝１、又はｊ＝２の設定を用いることができる。Ｐ＿Ｏ＿ＮＯＭＩＮＡＬ＿ＰＵＳＣＨ（ｊ）、Ｐ＿Ｏ＿ＵＥ＿ＰＵＳＣＨ（ｊ）、Ｐ＿Ｏ＿ＳＣＳ＿ＰＵＳＣＨ（ｊ）は、ｊの値毎に設定することができる。例えば、ｊ＝２の場合、Ｐ＿Ｏ＿ＵＥ＿ＰＵＳＣＨ（２）＝０である。また、ｊ＝０、１の場合、Ｐ＿Ｏ＿ＳＣＳ＿ＰＵＳＣＨはサブキャリア間隔によって変化する値とし、ｊ＝２の場合、Ｐ＿Ｏ＿ＳＣＳ＿ＰＵＳＣＨ＝０で固定と設定する。
【０１００】
複数のサブキャリア間隔を用いる場合におけるＭ＿ＰＵＳＣＨ（ｉ）及びＰ＿Ｏ＿ＰＵＳＣＨ（ｊ）の設定例を説明する。Ｍ＿ＰＵＳＣＨ（ｉ）が、サブフレームｉおいて物理上りリンク共有チャネルの送信のために割当てられるリソース割り当てユニット数である場合の例である。ここで、リソース割り当てユニットは、サブキャリア数で定義される（すなわち、リソース割り当てユニットは、サブキャリア間隔に依らず、同一サブキャリア数である）。この場合、サブキャリア間隔が大きいリソース割り当てユニットほど、Ｐ＿Ｏ＿ＰＵＳＣＨ（ｊ）が小さく設定される。
【０１０１】
例えば、Ｐ＿Ｏ＿ＰＵＳＣＨ（ｊ）を構成するＰ＿Ｏ＿ＮＯＭＩＮＡＬ＿ＰＵＳＣＨ（ｊ）及びＰ＿Ｏ＿ＵＥ＿ＰＵＳＣＨ（ｊ）が、リファレンスとなるサブキャリア間隔における目標受信電力レベルで設定される。物理上りリンク共有チャネルを割り当てるリソース割り当てユニットのサブキャリア間隔が、リファレンスとなるサブキャリア間隔のＮ倍の場合、Ｐ＿Ｏ＿ＳＣＳ＿ＰＵＳＣＨ（ｉ）は、１０Ｌｏｇ１０（１／Ｎ）に設定される。すなわち、物理上りリンク共有チャネルを割り当てるリソース割り当てユニットのサブキャリア間隔がＮ倍になった場合、Ｐ＿Ｏ＿ＰＵＳＣＨ（ｊ）はＮ分の１に設定される。図２及び図３において、ｆ＿ｓｃｓ＝３０ｋＨｚにおけるＰ＿Ｏ＿ＰＵＳＣＨ（ｊ）は、ｆ＿ｓｃｓ＝１５ｋＨｚ（リファレンスとなるサブキャリア間隔）におけるＰ＿Ｏ＿ＰＵＳＣＨ（ｊ）に比して、２分の１に設定される。なお、サブキャリア間隔に基づいて設定されるＰ＿Ｏ＿ＳＣＳ＿ＰＵＳＣＨ（ｉ）の要素は、Ｐ＿Ｏ＿ＮＯＭＩＮＡＬ＿ＰＵＳＣＨ（ｊ）または／及びＰ＿Ｏ＿ＵＥ＿ＰＵＳＣＨ（ｊ）に含めて設定してもよい。なお、Ｐ＿Ｏ＿ＳＣＳ＿ＰＵＳＣＨ（ｉ）は、リファレンスとなるサブキャリア間隔に依存する値１０Ｌｏｇ１０（１／Ｎ）を所定の係数βで調整してもよい（Ｐ＿Ｏ＿ＳＣＳ＿ＰＵＳＣＨ（ｉ）＝β×１０Ｌｏｇ１０（１／Ｎ））。例えば、係数βは、Ｐ＿Ｏ＿ＳＣＳ＿ＰＵＳＣＨ（ｉ）の上限値／下限値を調整するために用いられる。
【０１０２】
Ｍ＿ＰＵＳＣＨ（ｉ）は、サブフレームｉおいて物理上りリンク共有チャネルの送信のために割当てられるリソースブロック数で定義することもできる。ここで、リソースブロックは、サブキャリア数及びＯＦＤＭシンボル数で一意に設定される（すなわち、リソースブロックは、サブキャリア間隔に依らず、同一サブキャリア数である）。この場合、上記同様に、サブキャリア間隔が大きいリソースブロックほど、Ｐ＿Ｏ＿ＰＵＳＣＨ（ｊ）
が小さく設定される。例えば、Ｐ＿Ｏ＿ＰＵＳＣＨ（ｊ）を構成するＰ＿Ｏ＿ＮＯＭＩＮＡＬ＿ＰＵＳＣＨ（ｊ）及びＰ＿Ｏ＿ＵＥ＿ＰＵＳＣＨ（ｊ）が、リファレンスとなるサブキャリア間隔における目標受信電力レベルで設定される。物理上りリンク共有チャネルを割り当てるリソースブロックのサブキャリア間隔が、リファレンスとなるサブキャリア間隔のＮ倍の場合、Ｐ＿Ｏ＿ＳＣＳ＿ＰＵＳＣＨ（ｉ）は、１０Ｌｏｇ１０（１／Ｎ）に設定される。
【０１０３】
複数のサブキャリア間隔を用いる場合におけるＭ＿ＰＵＳＣＨ（ｉ）及びＰ＿Ｏ＿ＰＵＳＣＨ（ｊ）の別の設定例を説明する。Ｍ＿ＰＵＳＣＨ（ｉ）が、サブフレームｉおいて物理上りリンク共有チャネルの送信のために割当てられるリソースブロック数である場合の例である。ここで、リソースブロックは、周波数帯域幅［Ｈｚ］で定義される（すなわち、リソースブロックは、サブキャリア間隔によって、異なるサブキャリア数である）。この場合、Ｍ＿ＰＵＳＣＨ（ｉ）は、上りリンク物理チャネルが割り当てられるリソース割り当てユニット数における周波数帯域幅［Ｈｚ］とリソースブロックの周波数帯域幅［Ｈｚ］の比によって、リソースブロック数が設定される。例えば、サブキャリア間隔ｆ＿ｓｃｓ＝１５ｋＨｚにおけるリソース割り当てユニットＡをリソースブロックと設定した場合を基準に、Ｐ＿Ｏ＿ＰＵＳＣＨ（ｊ）は、目標受信電力レベルを設定する。リソースブロックの周波数帯域幅［Ｈｚ］は、１８０ｋＨｚとなる。物理上りリンク共有チャネルが１つのリソース割り当てユニットＡにマッピングされる場合、Ｍ＿ＰＵＳＣＨ（ｉ）＝１リソースブロックと設定される。一方、サブキャリア間隔ｆ＿ｓｃｓ＝３０ｋＨｚの場合、リソースブロックの周波数帯域幅（１８０［ｋＨｚ］）に６サブキャリアが包含される。物理上りリンク共有チャネルが１つのリソース割り当てユニットＢにマッピングされる場合、Ｍ＿ＰＵＳＣＨ（ｉ）＝２リソースブロックと設定される。上記２例のように、Ｍ＿ＰＵＳＣＨ（ｉ）及びＰ＿Ｏ＿ＰＵＳＣＨ（ｊ）は、物理上りリンク共有チャネルがマッピングされる物理リソースのサブキャリア間隔に応じて、設定される。これにより、サブキャリア間隔が変更される場合であっても、柔軟に端末装置送信電力を設定することができる。また、サブキャリア間隔が変更によるスペクトラム輻射の調整を柔軟におこなうことができる。
【０１０４】
複数のサブキャリア間隔の物理リソースを同時に割当てられた場合、Ｍ＿ＰＵＳＣＨ（ｉ）及びＰ＿Ｏ＿ＰＵＳＣＨ（ｊ）は、サブキャリア間隔毎に設定することができる。式（１）において、Ｍ＿ＰＵＳＣＨ（ｉ）及びＰ＿Ｏ＿ＰＵＳＣＨ（ｊ）は、サブキャリア間隔毎の項を設けてもよい。Ｐ＿Ｏ＿ＰＵＳＣＨ（ｊ）は、ＲＲＣ／ＤＣＩを用いて、サブキャリア間隔毎に、通知されてもよい。Ｍ＿ＰＵＳＣＨ（ｉ）は、サブキャリア間隔毎に通知されたリソース割り当てに関する情報を用いて、設定される。サブキャリア間隔毎のＭ＿ＰＵＳＣＨ（ｉ）は、サブキャリア間隔の割り当て帯域幅情報を用いて、設定される。
【０１０５】
α（ｊ）×ＰＬは、パスロスを補償するための項である。ＰＬは、送信電力制御部２１１４において算出されたパスロスの見積りである。ＰＬは、平均電力値（ＲＳＲＰ；Reference Signal Received Power）を用いて算出される。ＰＬを算出する際に用いられるリ
ファレンス信号電力は、ＲＲＣを用いて、基地局装置１０から通知される。リファレンス信号電力は、下りリンクリファレンス信号ＥＰＲＥを提供するために用いてもよい。リファレンス信号電力は、サブキャリア間隔毎に、設定される。α（ｊ）は、端末装置送信電力Ｐ＿ＰＵＳＣＨにおけるパスロスの影響を制御するためＰＬに乗算される係数である。α（ｊ）は、上りリンクデータの種類毎に設定される候補から選択される。例えば、ｊ＝０、１の場合、α（ｊ）は｛０、０．４、０．５、０．７、０．８、０．９、１｝から選択される。ｊ＝２の場合、α（ｊ）＝１と設定される。α（ｊ）は、基地局装置１０によって前記候補のうちから選択される。基地局装置１０によって選択されたα（ｊ）は、ＲＲＣによって通知される。α（ｊ）の候補は、周波数バンド毎に、設定することもできる
。その場合、係数がα（ｊ，ｆ）となり、ｆは周波数バンドを示すパラメータである。例えば、搬送波周波数が高くなるほどパスロスが大きくなるため、端末装置が大きい電力での送信が必要とされ、消費電力が大きくなる。そこで、搬送波周波数が高くなるほど係数のα（ｊ，ｆ）を小さくし、パスロスを補償する項を小さくする。その結果、高い搬送波周波数を使う場合でも端末装置の消費電力が大きくなることを抑制できる。各周波数バンドは、サブキャリア間隔と関連付けられる。各周波数バンドは、リファレンスとなるサブキャリア間隔が設定される。
【０１０６】
Δ＿ＴＦ（ｉ）は、上りリンクデータのＭＣＳに応じて受信レベルを補正するオフセット値である。
【０１０７】
ｆ（ｉ）［ｄＢ］は、ＤＣＩによって、端末装置送信電力Ｐ＿ＰＵＳＣＨをダイナミックに調整するために用いられる補正値である。サブフレームｉにおけるｆ（ｉ）は、サブフレームｉ−１において設定されたｆ（ｉ−１）に対して更新値δ＿ｔｐｃ［ｄＢ］を逐次加算することにより設定する（δ＿ｔｐｃは累積値とも呼ばれる）。例えば、ｆ（ｉ）は、ｆ（ｉ−１）＋δ＿ｔｐｃで決定される。
【０１０８】
サブフレームｉにおけるｆ（ｉ）は、サブフレームｉにおける設定に依らず、更新値δ＿ｔｐｃ［ｄＢ］によって設定することもできる（δ＿ｔｐｃは絶対値とも呼ばれる）。例えば、ｆ（ｉ）＝δ＿ｔｐｃとなる。
【０１０９】
更新値δ＿ｔｐｃは、ＤＣＩに含まれる送信電力制御コマンド（Transmission Power Control Command）と対応づけられる。送信電力制御部２１１４は、送信電力制御コマンドと更新値を関連付けるテーブルを保持することができる。例えば、２ビットの送信電力制御コマンド［００  ０１  １０  １１］は各々、更新値δ＿ｔｐｃ＝［‐１，  ０，  １，  ３］を示す。この場合、４つの更新値から構成される更新値候補セットにおいて、基地局装置１０によって選択された１つの更新値が、送信電力制御コマンドを用いて通知される。１ビットの送信電力制御コマンド［０  １］の各々は、更新値δ＿ｔｐｃ＝［‐１，  １］を示す。この場合、２つの更新値から構成される更新値候補セットにおいて、基地局装置１０によって選択された１つの更新値が、送信電力制御コマンドを用いて通知される。このように、本実施形態に係る通信システムでは、更新値候補数の異なる複数の更新値候補セットが設定されている。ｆ（ｉ）は、上りリンクデータを送信するサブキャリアのサブキャリア間隔毎に、異なる更新値候補数の更新値候補セットを用いて、設定されてもよい。
【０１１０】
本実施形態に係る通信システムでは、更新値候補数が同一である複数の更新値候補セットが設定されている。例えば、送信電力制御コマンドが２ビットの場合、第１の更新値候補セット［−１，  ０，  １，  ３］及び第２の更新値候補セット［−４，  −１，  １，  ４］が設定される。第１の更新値候補セットと第２の更新値候補セットは、増減幅（更新幅、変動幅）において相違する。更新値の送信電力制御部２１１４は、基地局装置１０よって送信された更新候補セット指示情報に従って、第１の更新値候補セット又は第２の更新値候補セットを選択する。更新候補セット指示情報は、ＲＲＣを用いて、基地局装置よって送信される。さらに、送信電力制御部２１１４は、選択した更新値候補セットにおいて、送信電力制御コマンドによって指示される更新値を選択する。例えば、第２の更新値候補セットが指示され、送信電力制御コマンドが「００」の場合、更新値δ＿ｔｐｃ＝−４が選択される。ここで、更新値候補セットは、周波数バンドによって設定しても良い。例えば、搬送波周波数が高くなるほど増減幅（更新幅、変動幅）の大きい更新値候補セットを使うとしても良い。また、端末装置は周波数バンドの累積値δ＿ｔｐｃ（ｆ）を持っても良い。この場合、基地局装置は、周波数バンド毎の送信電力制御コマンドを端末装置に通知する。
【０１１１】
送信電力制御コマンドは、サブキャリア間隔毎に更新値と関連付けることができる。送信電力制御部２１１４は、サブキャリア間隔毎に関連付けられた送信電力制御コマンドと更新値のテーブルを保持することができる。ｆ（ｉ）は、上りリンクデータを送信するサブキャリアのサブキャリア間隔毎に、独立して設定することができる。補正値ｆ（ｉ）、更新値δ＿ｔｐｃは、Ｍ＿ＰＵＳＣＨ（ｉ）及び／またはＰ＿Ｏ＿ＰＵＳＣＨ（ｊ）のサブキャリア間隔を基準として、設定される。累積値を用いた補正値ｆ（ｉ）において、ｆ（ｉ−１）は、同一のサブキャリア間隔を用いて上りリンクデータを送信した１つ前のサブフレームと解釈することもできる。１つのＤＣＩフォーマットにおいて、送信電力制御コマンドのフィールドは、サブキャリア間隔毎に設けることができる。ｆ（ｉ）は、上りリンクデータを送信するサブキャリアのサブキャリア間隔毎に、増減幅を変えることができる（異なる増減幅を設定することができる）。ｆ（ｉ）は、上りリンクデータを送信するサブキャリアのサブキャリア間隔毎に、異なる更新値候補セットを用いて、設定される。例えば、上りリンクデータを割当てるサブキャリアのサブキャリア間隔が大きいほど、増減幅の大きい更新値候補セットを用いて、ｆ（ｉ）が設定される。サブキャリア間隔ｆ＿ｓｃｓ＝３０ｋＨｚで上りリンクデータを送信する場合のδ＿ｔｐｃの増減幅は、サブキャリア間隔ｆ＿ｓｃｓ＝１５ｋＨｚで送信する場合より大きく設定される。サブキャリア間隔ｆ＿ｓｃｓ＝１５ｋＨｚの場合、第１の更新値候補セットから選択された更新値を用いて、ｆ（ｉ）が設定される。一方、サブキャリア間隔ｆ＿ｓｃｓ＝３０ｋＨｚの場合、第２の更新値候補セットから選択された更新値を用いて、ｆ（ｉ）が設定される。
【０１１２】
上りリンクデータを送信する各周波数バンドには、リファレンスとなるサブキャリア間隔が設定される。高い周波数バンド（例えば、ミリ波バンド）のリファレンスとなるサブキャリア間隔は、低い周波数バンド（例えば、マイクロ波バンド）のリファレンスとなるサブキャリア間隔より大きく設定される。ｆ（ｉ）は、上りリンクデータを送信する周波数バンドのリファレンスとなるサブキャリア間隔毎に、増減幅を変えることができる（異なる増減幅を設定することができる）。ｆ（ｉ）は、上りリンクデータを送信する周波数バンドのリファレンスとなるサブキャリア間隔毎に、異なる更新値候補セットを用いて、設定される。例えば、上りリンクデータを割り当てる周波数バンドのリファレンスとなるサブキャリア間隔毎が大きいほど、増減幅の大きい更新値候補セットを用いて、ｆ（ｉ）が設定される。
【０１１３】
累積値を用いた補正値ｆ（ｉ）において、サブフレームｉ−１において用いられたサブキャリア間隔がサブフレームｉにおいて用いられるサブキャリア間隔と異なる場合、補正値ｆ（ｉ）は初期値ｆ（０）＝０に設定される（補正値ｆ（ｉ）はリセットされる）。なお、前記初期値ｆ（０）は、０に限定される必要はなく、初期値として予め定められた値であればよい。前記初期値は、サブキャリア間隔毎に異なる値を設定してもよい。また、サブフレームｉ−１において用いられたサブキャリア間隔がサブフレームｉにおいて用いられるサブキャリア間隔と異なる場合、累積値を用いた補正値ｆ（ｉ）から絶対値を用いた補正値ｆ（ｉ）に変更するようにしてもよい。
【０１１４】
以上により、送信電力制御部２１１４は、サブキャリア間隔や周波数の違いによって生じる端末装置送信電力Ｐ＿ＰＵＳＣＨの誤差（例えば、増幅器の誤差、パスロスの推定誤差、隣接セルからの干渉によって生じる誤差など）を柔軟に調整することができる。なお、送信電力制御コマンド送信のために専用のＤＣＩフォーマットが定義されてもよい。送信電力制御コマンド送信専用のＤＣＩフォーマットは、サブキャリア間隔と該サブキャリア間隔のための送信電力制御コマンドを含むことができる。サブキャリア間隔と該サブキャリア間隔のための送信電力制御コマンドは１対１で関連づけて（ペアで）、送信されうる。
【０１１５】
図７は、本実施形態における基地局装置１０の構成を示す概略ブロック図である。基地局装置１０は、上位層処理部（上位層処理ステップ）１０２、送信部（送信ステップ）１０４、送信アンテナ１０６、制御部（制御ステップ）１０８、受信アンテナ１１０、受信部（受信ステップ）１１２を含んで構成される。送信部１０４は、符号化部（符号化ステップ）１０４０、変調部（変調ステップ）１０４２、マッピング部（マッピングステップ）１０４４、下りリンク制御信号生成部（下りリンク制御信号生成ステップ）１０４６、下りリンク参照信号生成部（下りリンク参照信号生成ステップ）１０４８及び無線送信部（無線送信ステップ）１０５０を含んで構成される。受信部１１２は、無線受信部（無線受信ステップ）１１２０、伝搬路推定部（伝搬路推定ステップ）１１２２、デマッピング部（デマッピングステップ）１１２４、等化部１１２６（等化ステップ）、ＩＤＦＴ部１１２８（ＩＤＦＴステップ）、逆拡散部１１３０（逆拡散ステップ）、復調部１１３２（復調ステップ）及び復号部１１３４（復号ステップ）を含んで構成される。
【０１１６】
上位層処理部１０２は、媒体アクセス制御（ＭＡＣ：Medium Access Control）層、パ
ケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層などの物理層より上位層の処理を行なう。上位層処理部１０２は、送信部１０４および受信部１１２の制御を行なうために必要な情報を生成し、制御部１０８に出力する。上位層処理部１０２は、下りリンクデータ（例えば、ＤＬ−ＳＣＨ）、報知情報（例えば、ＢＣＨ）、ハイブリッド自動再送要求（Hybrid Automatic Request）インジケータ（ＨＡＲＱインジケータ）などを送信部１０４に出力する。
【０１１７】
上位層処理部１０２は、端末装置の機能（UE capability）等の端末装置に関する情報
を、端末装置２０から（受信部１１２を介して）受信する。端末装置の機能は、サポートするサブキャリア間隔を示す情報、などが含まれる。上位層処理部１０２は、ＢＳＲ、パワーヘッドルームレポートなどの上位層の信号を端末装置２０から受信する。
【０１１８】
上位層処理部１０２は、ブロードキャストするシステムインフォメーション（ＭＩＢ、ＳＩＢ）を生成、又は上位ノードから取得する。上位層処理部１０２は、前記ブロードキャストするシステムインフォメーションを送信部１０４に出力する。なお、ＳＩＢの一部は、端末装置固有に送信することができる。
【０１１９】
上位層処理部１０２は、物理下りリンク共有チャネルにマッピングされる下りリンクデータ（トランスポートブロック）、システムインフォメーション（ＳＩＢ）、ＲＲＣメッセージ、ＭＡＣ  ＣＥなどを生成、又は上位ノードから取得し、送信部１０４に出力する。上位層処理部１０２は、これらの上位層の信号に上りリンク送信に関する設定情報／下りリンク送信に関する設定情報、グラントフリーアクセスに関する設定情報、の一部又は全部を含めることができる。上位層処理部１０２は、これらの設定情報を制御部１０８／送信部１０４に出力する。上りリンク送信に関する設定情報／下りリンク送信に関する設定情報は、上りリンク及び下りリンクのサブキャリア間隔に関する情報／各サブキャリア間隔の割り当て帯域幅情報を含めることができる。上りリンク送信に関する設定情報には、上りリンク送信電力制御に関する情報を含めることができる。上位層処理部１０２は、上りリンク及び下りリンクのサブキャリア間隔に関する情報／各サブキャリア間隔の割り当て帯域幅情報／上りリンク送信電力制御に関する情報を通知するための専用ＳＩＢを生成してもよい。
【０１２０】
上位層処理部１０２は、物理チャネル（物理下りリンク共有チャネル、物理上りリンク共有チャネルなど）の符号化率、変調方式（あるいはＭＣＳ）および送信電力などを決定する。上位層処理部１０２は、前記符号化率／変調方式／送信電力を送信部１０４／制御部１０８／受信部１１２に出力する。上位層処理部１０２は、前記符号化率／変調方式／
送信電力を上位層の信号に含めることができる。
【０１２１】
制御部１０８は、上位層処理部１０２から入力された各種設定情報に基づいて、送信部１０４および受信部１１２の制御を行なう。制御部１０８は、ＢＳＲ，パワーヘッドルームレポート等に基づいて、上りリンクデータのスケジューリングを行う。制御部１０８は、端末装置２０に送信された上りリンクグラントの内容（各端末装置のための上りリンクデータのリソース割り当て、サブキャリア間隔、ＭＣＳなど）に基づいて、受信部１１２の制御を行う。制御部１０８は、上位層処理部１０２から入力された下りリンク送信に関する設定情報及び上りリンク送信に関する設定情報に基づいて、下りリンク制御情報（ＤＣＩ）を生成し、送信部１０４に出力する。下りリンク制御情報には、上りリンク及び下りリンクのサブキャリア間隔に関する制御情報／上りリンクの送信電力制御に関する情報を含めることができる。なお、制御部１０８の機能は、上位層処理部１０２に含めることができる。
【０１２２】
送信部１０４は、端末装置２０のために、上位層処理部１０２から入力された報知情報、下りリンク制御情報、下りリンク共有チャネル等を符号化および変調し、物理報知チャネル、物理下りリンク制御チャネル、物理下りリンク共有チャネルを生成する。符号化部１０４０は、予め定められた／上位層処理部１０２が決定した符号化方式を用いて、報知情報、下りリンク共有チャネルを符号化する（リピティションを含む）。符号化方式は、畳み込み符号化、ターボ符号化、ＬＤＰＣ（Low Density Parity Check）符号化、Ｐｏｌａｒ符号化、等を適用することができる。変調部１０４２は、符号化部１０４０から入力された符号化ビットをＢＰＳＫ、ＱＰＳＫ、１６ＱＡＭ、６４ＱＡＭ、２５６ＱＡＭ等の予め定められた／上位層処理部１０２が決定した変調方式で変調する。
【０１２３】
下りリンク制御信号生成部１０４６は、制御部１０８から入力される下りリンク制御情報（ＤＣＩ）にＣＲＣを付加する。さらに、下りリンク制御信号生成部１０４６は、前記下りリンク制御情報に対して符号化、変調を施し、物理下りリンク制御チャネルを生成する。下りリンク参照信号生成部１０４８は、下りリンク参照信号を生成する
マッピング部１０４４は、変調された各下りリンク物理チャネルの変調シンボル、物理下りリンク制御チャネルと下りリンク参照信号をリソースエレメントにマッピングする。マッピング部１０４４は、物理下りリンク共有チャネル、物理下りリンク制御チャネルを、各端末装置に割当てられた物理リソースにマッピングする。
【０１２４】
無線送信部１０５０は、多重された各下りリンク物理チャネルの変調シンボルを逆高速フーリエ変換（Inverse Fast Fourier Transform: IFFT）してＯＦＤＭシンボルを生成する。無線送信部１０５０は、各下りリンク物理チャネルの送信に用いるサブキャリア間隔に基づいて、逆高速フーリエ変換を行う。無線送信部１０５０は、前記ＯＦＤＭシンボルにサイクリックプレフィックス（cyclic prefix: CP）を付加してベースバンドのディジ
タル信号を生成する。さらに、無線送信部１０５０は、前記ディジタル信号をアナログ信号に変換し、フィルタリングにより余分な周波数成分を除去し、搬送周波数にアップコンバートし、電力増幅し、送信アンテナ１０６に出力してＯＦＤＭ信号を送信する。
【０１２５】
無線受信部１１２０は、受信アンテナ１１０を介して受信した上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交検波し、直交検波されたアナログ信号をディジタル信号に変換する。無線受信部１１２０は、変換したディジタル信号からＣＰに相当する部分を除去する。無線受信部１１２０は、ＣＰを除去した信号に対して高速フーリエ変換（Fast Fourier Transform: FFT）を行い、周波数領域の信号を抽出する。無線受信部１１２０は、各上り
リンクの信号がマッピングされているサブキャリア間隔に基づいて、高速フーリエ変換を
行う。各上りリンクの信号がマッピングされているサブキャリア間隔は、制御部１０８から通知される。
【０１２６】
伝搬路推定部１１２２は、復調用参照信号を用いて、上りリンク物理チャネルの信号検出のためのチャネル推定を行う。伝搬路推定部１１２２は、前記復調用参照信号系列を用いて、基地局装置１０と端末装置２０の間のチャネル状態（伝搬路状態）を測定する。
【０１２７】
デマッピング部１１２４は、無線受信部１１２０から入力される周波数領域の信号から、端末装置毎に上りリンク物理チャネル（物理上りリンク共有チャネル、物理上りリンク制御チャネルなど）及び上りリンク物理信号（同期信号など）を抽出する。デマッピング部１１２４は、制御部１０８から入力される上りリンクスケジューリング情報に基づいて、端末装置毎の上りリンク物理チャネルを抽出する。以下、等化部１１２６、ＩＤＦＴ部１１２８、逆拡散部１１３０、復調部１１３２、復号部１１３４は、各端末装置の上りリンクデータ毎に処理を行う。
【０１２８】
等化部１１２６は、伝搬路推定部１１２２から入力される伝搬路推定結果を用いて、デマッピング部１１２４から入力される端末装置毎の信号に対して伝搬路補償を行う。例えば、等化部１１２６は、周波数領域の信号に対してＭＭＳＥ規範に基づく等化重みを乗算する。
【０１２９】
ＩＤＦＴ部１１２８は、等化後の各端末装置の周波数領域の信号を時間領域の信号に変換する。なお、ＩＤＦＴ部１１２８は、端末装置２０のＤＦＴ部２１０４で施された処理に対応する。
【０１３０】
逆拡散部１１３０は、ＩＤＦＴ後の各端末装置の時間領域の信号に対して、拡散符号系列を乗算する（逆拡散処理）。端末装置２０において、ＤＦＴ後の信号に対して拡散処理が行われている場合、ＩＤＦＴ前の信号に対して、逆拡散処理が施される。なお、端末装置２０において、インターリーブが施されている場合、デインターリーブ処理が行われる。
【０１３１】
復調部１１３２には、予め通知されている、又は予め決められている各端末装置の変調方式の情報が制御部１０８から入力される。復調部１１３２は、前記変調方式の情報に基づき、逆拡散後の信号に対して復調処理を施し、ビット系列のＬＬＲ（Log Likelihood Ratio）を出力する。
【０１３２】
復号部１１３４には、予め通知されている、又は予め決められている符号化率の情報が制御部１０８から入力される。復号部１１３４は、前記復調部１１３２から出力されたＬＬＲの系列に対して復号処理を行う。
【０１３３】
上位層処理部１０２は、復号部１１３４から各端末装置の復号後の上りリンクデータ（硬判定後のビット系列）を取得する。上位層処理部１０２は、各端末装置の復号後の上りリンクデータに含まれるＣＲＣに対して、各端末に割当てたＵＥ  ＩＤを用いて、デスクランブル（排他的論理和演算）を行う。上位層処理部１０２は、デスクランブルによる誤り検出の結果、上りリンクデータに誤りが無い場合、端末装置の識別を正しく完了し、該端末装置から送信された上りリンクデータを正しく受信できたと判断する。
【０１３４】
以上のように、基地局装置１０は、端末装置２０の上りリンクデータを複数のサブキャリア間隔を持つ物理リソースを用いて送信する。さらに、基地局装置１０は、その物理リソースのサブキャリア間隔毎に、上りリンクの送信電力制御を行う。これにより、サブキャリア間隔が異なることにより発生する帯域外輻射、不要輻射、隣接チャネル電力漏洩を
柔軟に調整することができる。
【０１３５】
（第２の実施形態）
本実施形態は、複数のサブキャリア間隔をもつ物理リソースを用いて上りリンクデータ及び下りリンクデータを伝送する通信システムにおけるパワーヘッドルームの設定の一例である。
【０１３６】
本実施形態に係る通信システムは、図１〜図７で説明した基地局装置１０及び端末装置２０で構成される。以下、第１の実施形態との相違点／追加点を主に説明する。
【０１３７】
端末装置２０の上位層処理部２０６は、基地局装置１０から受信した上りリンク送信電力制御に関する情報を用いて、パワーヘッドルーム（ＰＨ；Power Headroom）を算出する。例えば、パワーヘッドルームＰＨ（ｉ）［ｄＢ］は式（２）で決定される。
【０１３８】
【数２】
2020036052.tif 000004
【０１３９】
・・・式（２）
ＰＨ（ｉ）を構成するｉ、Ｐ＿ＣＭＡＸ（ｉ）、Ｍ＿ＰＵＳＣＨ（ｉ）、Ｐ＿Ｏ＿ＰＵＳＣＨ（ｊ）、α（ｊ）、ＰＬ、Δ＿ＴＦ（ｉ）及びｆ（ｉ）は、物理上りリンク共有チャネルがマッピングされる物理リソースのサブキャリア間隔に基づいて、式（１）と同様に設定される。
【０１４０】
端末装置２０の上位層処理部２０６は、パワーヘッドルームの算出結果に基づいて、パワーヘッドルームレポートを生成する。端末装置２０の送信部２１０は、物理上りリンク共有チャネルを用いて、パワーヘッドルームレポートを含むＭＡＣ  ＣＥを基地局装置１０へ送信する。端末装置２０の送信部２１０は、パスロス（ＰＬ）が所定の閾値より大きくなった場合に、パワーヘッドルームレポートを基地局装置１０に送信する。所定の閾値は、基地局装置１０が、上位層の信号を用いて、端末装置２０に通知する。
【０１４１】
端末装置２０の送信部２１０は、パワーヘッドルームレポートを周期的に基地局装置１０に送信する。基地局装置１０は、上位層の信号を用いて、パワーヘッドルームレポートの送信周期を端末装置２０に通知する。また、基地局装置１０は、上位層の信号を用いて、パワーヘッドルームレポートの送信禁止期間を端末装置２０に通知することもできる。
【０１４２】
端末装置２０の送信部２１０は、物理上りリンク共有チャネルを送信するために割当てられた物理リソースのサブキャリア間隔が変わった場合に、パワーヘッドルームレポートを基地局装置１０に送信する。前記サブキャリア間隔は、ＲＲＣ／ＤＣＩによって、端末装置２０に送信される。端末装置２０は、前記パワーヘッドルームレポートの送信のためのトリガが重複する場合、いずれかのトリガを優先的に適用するように設定される。例えば、端末装置２０は、サブキャリア間隔の変化によってパワーヘッドルームレポートの送信トリガが発生した場合、他のトリガより優先することができる。この場合、優先したトリガに対応するパワーヘッドルームレポートの内容を基地局装置１０に送信する。
【０１４３】
基地局装置１０の制御部１０８は、上位層処理部１０２から入力された端末装置２０のＢＳＲ，パワーヘッドルームレポート等に基づいて、端末装置２０の物理上りリンク共有チャネルのスケジューリング（物理上りリンク共有チャネルを送信のためのリソース割り当て、サブキャリア間隔、上りリンク送信電力制御）を行う。
【０１４４】
以上のように、パワーヘッドルームは、物理上りリンク共有チャネルを送信するために割当てられた物理リソースのサブキャリア間隔に基づいて算出される。さらに、物理上りリンク共有チャネルを送信するために割当てられた物理リソースのサブキャリア間隔の変更をトリガとして、パワーヘッドルームレポートが送信される。これにより、サブキャリア間隔や周波数の違いによって生じるパワーヘッドルームの変化に応じてパワーヘッドルームレポートが送信される。よって、基地局装置は、サブキャリア間隔や周波数の違いによって生じる誤差を考慮して、上りリンクデータを割り当て可能な物理リソースを効率的に把握することができる。
【０１４５】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１４６】
なお、上述した実施形態における装置の一部、をコンピュータで実現するようにしても良い。その場合、実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであっても良い。
【０１４７】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１４８】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現
在の集積回路に代替する集積回路化の技術が出現した場合、当該技術による集積回路を用いることも可能である。
【０１４９】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１５０】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１５１】
本発明は、基地局装置、端末装置および通信方法に用いて好適である。
【符号の説明】
【０１５２】
１０  基地局装置
２０−１〜２０−ｎ１  端末装置
１０ａ  基地局装置１０が端末装置と接続可能な範囲
１０２  上位層処理部
１０４  送信部
１０６送信アンテナ
１０８  制御部
１１０  受信アンテナ
１１２  受信部
１０４０  符号化部
１０４２  変調部
１０４４  マッピング部
１０４６  下りリンク制御信号生成部
１０４８  下りリンク参照信号生成部
１０５０  無線送信部
１１２０  無線受信部
１１２２  伝搬路推定部
１１２４  デマッピング部
１１２６  等化部
１１２８  ＩＤＦＴ部
１１３０  逆拡散部
１１３２  復調部
１１３４  復号部
２０２  受信アンテナ
２０４  受信部
２０６  上位層処理部
２０８  制御部
２１０  送信部
２１２  送信アンテナ
２１００  符号化部
２１０２  変調部
２１０４  ＤＦＴ部
２１０６  拡散部
２１０８  マッピング部
２１１０  無線送信部
２１１２  上りリンク参照信号生成部
２１１４送信電力制御部
２０４０  無線受信部
２０４２  デマッピング部
２０４４  復調部
２０４６  復号部
【図１】
2020036052.tif 000005
【図２】
2020036052.tif 000006
【図３】
2020036052.tif 000007
【図４】
2020036052.tif 000008
【図５】
2020036052.tif 000009
【図６】
2020036052.tif 000010
【図７】
2020036052.tif 000011